(57)【要約】  無線通信を適切に行う。  通信システムは、第１情報処理装置および複数の第２情報処理装置を具備する。第１情報処理装置は、無線通信を行うための複数のチャネルリソースを複数の第２情報処理装置に割り当て、その割り当てを複数の第２情報処理装置に通知する情報処理装置である。第２情報処理装置は、その通知を受信した場合に、所定情報を第１情報処理装置に通知するための複数の信号を、その割り当てられた複数のチャネルリソースを用いて第１情報処理装置に送信する情報処理装置である。
2017077781.tif 000002
【特許請求の範囲】
【請求項１】
無線通信を行うための複数のチャネルリソースを複数の機器に割り当て当該割り当てを前記複数の機器に通知する制御を行う制御部を具備する情報処理装置。
【請求項２】
前記機器に割り当てられた複数のチャネルリソースを用いて当該機器から送信された信号を当該複数のチャネルリソース毎に受信する通信部をさらに具備し、
前記制御部は、前記複数のチャネルリソース毎に受信した複数の信号により構成される１以上の情報を取得する
請求項１記載の情報処理装置。
【請求項３】
前記制御部は、前記複数の機器に対して送信条件に関する情報を通知し、前記複数の機器に前記通知された情報に基づいて信号を送信させる制御を行う請求項１記載の情報処理装置。
【請求項４】
前記複数のチャネルリソースは、周波数チャネルのリソースと空間チャネルのリソースとの組み合わせにより構成される請求項１記載の情報処理装置。
【請求項５】
前記制御部は、簡素化されたフレームフォーマットによる信号を前記割り当てたチャネルリソースを用いて送信することを通知する制御を行う請求項１記載の情報処理装置。
【請求項６】
前記制御部は、前記複数の機器を構成する各機器について２以上のチャネルリソースを割り当てる制御を行う請求項１記載の情報処理装置。
【請求項７】
前記制御部は、前記２以上のチャネルリソースを用いて１以上の情報を前記情報処理装置に通知するための信号を送信する旨を前記複数の機器に通知する制御を行う請求項６記載の情報処理装置。
【請求項８】
前記制御部は、同一の情報を前記情報処理装置に通知するための信号を異なるチャネルリソースを用いて送信する旨を前記複数の機器に通知する制御を行う請求項６記載の情報処理装置。
【請求項９】
前記制御部は、前記２以上のチャネルリソースとして同一の周波数チャネルのリソースまたは同一の空間チャネルのリソースを割り当てる制御を行う請求項６記載の情報処理装置。
【請求項１０】
前記制御部は、前記１以上の情報として前記機器の受信状況に関する情報を送信させる制御を行う請求項２記載の情報処理装置。
【請求項１１】
前記制御部は、前記複数のチャネルリソースのうちの２以上の同一のチャネルリソースを前記複数の機器のそれぞれに割り当てる制御を行う請求項１記載の情報処理装置。
【請求項１２】
前記制御部は、前記同一のチャネルリソースを用いて送信された信号の受信電力に基づいて、前記複数の機器のうちの当該信号を送信した機器の数を判定する請求項１１記載の情報処理装置。
【請求項１３】
前記制御部は、前記複数の機器へのマルチキャスト送信に対する受信結果を通知するための信号を前記同一のチャネルリソースを用いて送信させる制御を行う請求項１１記載の情報処理装置。
【請求項１４】
前記制御部は、前記複数のチャネルリソースのうち、一部を前記複数の機器を構成する２以上の機器に割り当て、他の一部を前記複数の機器に独立して割り当てる制御を行う請求項１記載の情報処理装置。
【請求項１５】
前記制御部は、前記割り当てられた複数のチャネルリソースを用いて前記機器が信号を送信するために必要となる情報を通知する制御を行う請求項１記載の情報処理装置。
【請求項１６】
無線通信を行うための複数のチャネルリソースを用いて複数の機器に複数の信号を送信することにより前記複数の信号により構成される１以上の情報を前記複数の機器に通知する制御を行う制御部を具備する情報処理装置。
【請求項１７】
前記制御部は、前記１以上の情報を用いて前記情報処理装置にデータが蓄積されている機器に関する情報を通知する請求項１６記載の情報処理装置。
【請求項１８】
無線通信を行うための複数のチャネルリソースが当該情報処理装置に割り当てられた旨の通知を受信した場合に、所定情報を他の機器に通知するための複数の信号を当該割り当てられた複数のチャネルリソースを用いて前記他の機器に送信する制御を行う制御部を具備する情報処理装置。
【請求項１９】
前記制御部は、簡素化されたフレームフォーマットによる信号を前記割り当てられた複数のチャネルリソースを用いて送信する制御を行う請求項１８記載の情報処理装置。
【請求項２０】
無線通信を行うための複数のチャネルリソースを複数の第２情報処理装置に割り当て当該割り当てを前記複数の第２情報処理装置に通知する第１情報処理装置と、
前記通知を受信した場合に、所定情報を前記第１情報処理装置に通知するための複数の信号を前記割り当てられた複数のチャネルリソースを用いて前記第１情報処理装置に送信する第２情報処理装置と
を具備する通信システム。
【発明の詳細な説明】
【技術分野】
【０００１】
本技術は、情報処理装置に関する。詳しくは、無線通信を利用して情報のやりとりを行う情報処理装置および通信システムに関する。
【背景技術】
【０００２】
従来、無線通信を利用して情報のやりとりを行う無線通信技術が存在する。また、近年では、複数の無線機器に同時に同一のデータを配布する無線通信技術が存在する。【０００３】
例えば、多数の利用者が集まる場所（例えば、飲食店、公共通機関、競技場、教育施設）において、同一の情報（例えば、映像、音声）を定常的に配信するサービスが存在する。このように、同一のデータを同時に複数の宛先に送信する技術は、Ｍｕｌｔｉｃａｓｔと称されている。【０００４】
一般に、無線通信において、データの送信元の機器は、送信したデータを受信先の機器に正しく送信されたかを確認し、送信されていない場合にはそのデータを再送することが好ましい。これにより、通信品質を保つことができる。例えば、標準規格ＩＥＥＥ（Institute of Electrical and Electronic Engineers）８０２．１１に従う無線ＬＡＮの機能を搭載する機器によりデータのやりとりを行う場合を想定する。この場合に、送信元の機器は、送信したデータに対して、送信先の機器から送達確認（Ａｃｋ／ＢＡ（Block Ack））が返送されるかを確認することにより、そのデータが正しく送信されたかを確認することができる。なお、送信元の機器は、例えば、基地局（ＡＰ（Access Point））である。また、送信先の機器は、例えば、子機（ＳＴＡ（Station））である。【０００５】
しかしながら、Ｍｕｌｔｉｃａｓｔでは、複数の機器に対してデータを送信するため、それぞれの機器に送達確認を要求すると、その送達確認のために多数の通信をする必要があり、オーバーヘッドが大きくなる。特に、複数の機器がデータの送受信を行っている環境では、通信品質を向上させるためのオーバーヘッド自体が通信リソースを消費し、通信品質を低下させる要因となりうる。また、取り扱うトラフィックの要求する遅延時間が小さい場合には、送達確認の確認や再送が多く発生すると、その要求する遅延時間を超えてしまう可能性がある。【０００６】
また、データの受信状況が特に悪いＳＴＡが存在する場合には、そのＳＴＡのためにデータの再送を繰り返し、システム全体で見た場合の特性を劣化させてしまう要因となりうる。そのため、ＡＰは、事前に各ＳＴＡから受信状況に関する情報を集めることにより、どのＳＴＡに対し、送達確認を要求すべきかを適切に判断する必要がある。しかしながら、受信状況に関する情報を集めるためのオーバーヘッドもまた、リソースを消費してしまい、通信品質を劣化させる要因となりうる。【０００７】
そこで、Ｍｕｌｔｉｃａｓｔの通信品質を向上させる技術が提案されている。例えば、Ｍｕｌｔｉｃａｓｔによりデータを受信するクライアントをグループ分けし、それぞれのグループにおいて代表クライアントを選定し、送達確認を受け取る配信システムが提案されている（例えば、特許文献１参照。）。この配信システムでは、データが受信できなかった割合の多いクライアントを代表クライアントとして選定する。
【先行技術文献】
【特許文献】
【０００８】
【特許文献１】特開２０１４−５３８３２号公報
【発明の概要】
【発明が解決しようとする課題】
【０００９】
上述の従来技術では、受信できなかったデータの相関が代表クライアントと類似するクライアントからの送達確認を受け取らない。しかしながら、代表クライアントは、通常通り送達確認を送信するため、オーバーヘッドが存在する。また、代表クライアントの数が多いような環境下では、オーバーヘッドを低減させることができない。そこで、オーバーヘッドを低減させ、通信品質を高めることにより、無線通信を適切に行うことが重要である。【００１０】
本技術はこのような状況に鑑みて生み出されたものであり、無線通信を適切に行うことを目的とする。
【課題を解決するための手段】
【００１１】
本技術は、上述の問題点を解消するためになされたものであり、その第１の側面は、無線通信を行うための複数のチャネルリソースを複数の機器に割り当て当該割り当てを上記複数の機器に通知する制御を行う制御部を具備する情報処理装置およびその情報処理方法ならびに当該方法をコンピュータに実行させるプログラムである。これにより、複数のチャネルリソースを複数の機器に割り当て、その割り当てを複数の機器に通知するという作用をもたらす。【００１２】
また、この第１の側面において、上記機器に割り当てられた複数のチャネルリソースを用いて当該機器から送信された信号を当該複数のチャネルリソース毎に受信する通信部をさらに具備し、上記制御部は、上記複数のチャネルリソース毎に受信した複数の信号により構成される１以上の情報を取得するようにしてもよい。これにより、複数のチャネルリソース毎に受信した複数の信号により構成される１以上の情報を取得するという作用をもたらす。【００１３】
また、この第１の側面において、上記制御部は、上記複数の機器に対して送信条件に関する情報を通知し、上記複数の機器に上記通知された情報に基づいて信号を送信させる制御を行うようにしてもよい。これにより、複数の機器に対して送信条件に関する情報を通知し、複数の機器にその通知された情報に基づいて信号を送信させるという作用をもたらす。【００１４】
また、この第１の側面において、上記複数のチャネルリソースは、周波数チャネルのリソースと空間チャネルのリソースとの組み合わせにより構成されるようにしてもよい。これにより、周波数チャネルのリソースと空間チャネルのリソースとの組み合わせにより構成される複数のチャネルリソースを用いるという作用をもたらす。【００１５】
また、この第１の側面において、上記制御部は、簡素化されたフレームフォーマットによる信号を上記割り当てたチャネルリソースを用いて送信することを通知する制御を行うようにしてもよい。これにより、簡素化されたフレームフォーマットによる信号を、割り当てたチャネルリソースを用いて送信することを通知するという作用をもたらす。【００１６】
また、この第１の側面において、上記制御部は、上記複数の機器を構成する各機器について２以上のチャネルリソースを割り当てる制御を行うようにしてもよい。これにより、複数の機器を構成する各機器について２以上のチャネルリソースを割り当てるという作用をもたらす。【００１７】
また、この第１の側面において、上記制御部は、上記２以上のチャネルリソースを用いて１以上の情報を上記情報処理装置に通知するための信号を送信する旨を上記複数の機器に通知する制御を行うようにしてもよい。これにより、２以上のチャネルリソースを用いて１以上の情報を情報処理装置に通知するための信号を送信する旨を複数の機器に通知するという作用をもたらす。【００１８】
また、この第１の側面において、上記制御部は、同一の情報を上記情報処理装置に通知するための信号を異なるチャネルリソースを用いて送信する旨を上記複数の機器に通知する制御を行うようにしてもよい。これにより、同一の情報を情報処理装置に通知するための信号を、異なるチャネルリソースを用いて送信する旨を複数の機器に通知するという作用をもたらす。【００１９】
また、この第１の側面において、上記制御部は、上記２以上のチャネルリソースとして同一の周波数チャネルのリソースまたは同一の空間チャネルのリソースを割り当てる制御を行うようにしてもよい。これにより、２以上のチャネルリソースとして同一の周波数チャネルのリソースまたは同一の空間チャネルのリソースを割り当てるという作用をもたらす。【００２０】
また、この第１の側面において、上記制御部は、上記１以上の情報として上記機器の受信状況に関する情報を送信させる制御を行うようにしてもよい。これにより、１以上の情報として機器の受信状況に関する情報を送信させるという作用をもたらす。【００２１】
また、この第１の側面において、上記制御部は、上記複数のチャネルリソースのうちの２以上の同一のチャネルリソースを上記複数の機器のそれぞれに割り当てる制御を行うようにしてもよい。これにより、複数のチャネルリソースのうちの２以上の同一のチャネルリソースを複数の機器のそれぞれに割り当てるという作用をもたらす。【００２２】
また、この第１の側面において、上記制御部は、上記同一のチャネルリソースを用いて送信された信号の受信電力に基づいて、上記複数の機器のうちの当該信号を送信した機器の数を判定するようにしてもよい。これにより、同一のチャネルリソースを用いて送信された信号の受信電力に基づいて、複数の機器のうちのその信号を送信した機器の数を判定するという作用をもたらす。【００２３】
また、この第１の側面において、上記制御部は、上記複数の機器へのマルチキャスト送信に対する受信結果を通知するための信号を上記同一のチャネルリソースを用いて送信させる制御を行うようにしてもよい。これにより、複数の機器へのマルチキャスト送信に対する受信結果を通知するための信号を同一のチャネルリソースを用いて送信させるという作用をもたらす。【００２４】
また、この第１の側面において、上記制御部は、上記複数のチャネルリソースのうち、一部を上記複数の機器を構成する２以上の機器に割り当て、他の一部を上記複数の機器に独立して割り当てる制御を行うようにしてもよい。これにより、複数のチャネルリソースのうち、一部を２以上の機器に割り当て、他の一部を複数の機器に独立して割り当てるという作用をもたらす。【００２５】
また、この第１の側面において、上記制御部は、上記割り当てられた複数のチャネルリソースを用いて上記機器が信号を送信するために必要となる情報を通知する制御を行うようにしてもよい。これにより、割り当てられた複数のチャネルリソースを用いて機器が信号を送信するために必要となる情報を通知するという作用をもたらす。【００２６】
また、本技術の第２の側面は、無線通信を行うための複数のチャネルリソースを用いて複数の機器に複数の信号を送信することにより上記複数の信号により構成される１以上の情報を上記複数の機器に通知する制御を行う制御部を具備する情報処理装置およびその情報処理方法ならびに当該方法をコンピュータに実行させるプログラムである。これにより、複数のチャネルリソースを用いて複数の機器に複数の信号を送信することにより複数の信号により構成される１以上の情報を複数の機器に通知するという作用をもたらす。【００２７】
また、この第２の側面において、上記制御部は、上記１以上の情報を用いて上記情報処理装置にデータが蓄積されている機器に関する情報を通知するようにしてもよい。これにより、１以上の情報を用いて情報処理装置にデータが蓄積されている機器に関する情報を通知するという作用をもたらす。【００２８】
また、本技術の第３の側面は、無線通信を行うための複数のチャネルリソースが当該情報処理装置に割り当てられた旨の通知を受信した場合に、所定情報を他の機器に通知するための複数の信号を当該割り当てられた複数のチャネルリソースを用いて上記他の機器に送信する制御を行う制御部を具備する情報処理装置およびその情報処理方法ならびに当該方法をコンピュータに実行させるプログラムである。これにより、複数のチャネルリソースが自装置に割り当てられた旨の通知を受信した場合に、所定情報を他の機器に通知するための複数の信号をその割り当てられた複数のチャネルリソースを用いて他の機器に送信するという作用をもたらす。【００２９】
また、この第３の側面において、上記制御部は、簡素化されたフレームフォーマットによる信号を上記割り当てられた複数のチャネルリソースを用いて送信する制御を行うようにしてもよい。これにより、簡素化されたフレームフォーマットによる信号を、割り当てられた複数のチャネルリソースを用いて送信するという作用をもたらす。【００３０】
また、本技術の第４の側面は、無線通信を行うための複数のチャネルリソースを複数の第２情報処理装置に割り当て当該割り当てを上記複数の第２情報処理装置に通知する第１情報処理装置と、上記通知を受信した場合に、所定情報を上記第１情報処理装置に通知するための複数の信号を上記割り当てられた複数のチャネルリソースを用いて上記第１情報処理装置に送信する第２情報処理装置とを具備する通信システムおよびその情報処理方法ならびに当該方法をコンピュータに実行させるプログラムである。これにより、第１情報処理装置は、複数のチャネルリソースを複数の第２情報処理装置に割り当て、その割り当てを複数の第２情報処理装置に通知し、第２情報処理装置は、その通知を受信した場合に、所定情報を第１情報処理装置に通知するための複数の信号を、その割り当てられた複数のチャネルリソースを用いて第１情報処理装置に送信するという作用をもたらす。
【発明の効果】
【００３１】
本技術によれば、無線通信を適切に行うことができるという優れた効果を奏し得る。なお、ここに記載された効果は必ずしも限定されるものではなく、本開示中に記載されたいずれかの効果であってもよい。
【図面の簡単な説明】
【００３２】
【図１】本技術の第１の実施の形態における通信システム１０の構成例を示す図である。
【図２】本技術の第１の実施の形態における情報処理装置（ＡＰ）１００の機能構成例を示すブロック図である。
【図３】本技術の第１の実施の形態における通信システム１０を構成する各機器により使用されるチャネルリソースを模式的に示す図である。
【図４】本技術の第１の実施の形態における通信システム１０を構成する各機器によりやりとりされるパケットのフレームフォーマット例を模式的に示す図である。
【図５】本技術の第１の実施の形態における情報処理装置（ＡＰ）１００によるＭＵリソースビットマップの割り当て通知と、情報処理装置（ＳＴＡ１）２０１乃至（ＳＴＡ３）２０３による情報送信との例を示すシーケンス図である。
【図６】本技術の第１の実施の形態における情報処理装置（ＡＰ）１００によるＭＵリソースビットマップの割り当て通知と、情報処理装置（ＳＴＡ１）２０１乃至（ＳＴＡ３）２０３による情報送信との例を示すシーケンス図である。
【図７】本技術の第１の実施の形態における情報処理装置（ＡＰ）１００によるＭＵリソースビットマップの割り当て通知と、情報処理装置（ＳＴＡ１）２０１乃至（ＳＴＡ３）２０３による情報送信との例を示すシーケンス図である。
【図８】本技術の第１の実施の形態における情報処理装置（ＡＰ）１００によるＭＵリソースビットマップの割り当て通知と、情報処理装置（ＳＴＡ１）２０１乃至（ＳＴＡ３）２０３による情報送信との例を示すシーケンス図である。
【図９】本技術の第１の実施の形態における情報処理装置（ＳＴＡ）に対するチャネルリソースの割り当て例と、情報処理装置（ＳＴＡ）から情報処理装置（ＡＰ）１００への情報の通知例とを示す図である。
【図１０】本技術の第１の実施の形態における情報処理装置（ＳＴＡ）に対するチャネルリソースの割り当て例と、情報処理装置（ＳＴＡ）から情報処理装置（ＡＰ）１００への情報の通知例とを示す図である。
【図１１】本技術の第１の実施の形態における情報処理装置（ＳＴＡ）に対するチャネルリソースの割り当て例と、情報処理装置（ＳＴＡ）から情報処理装置（ＡＰ）１００への情報の通知例とを示す図である。
【図１２】本技術の第１の実施の形態における情報処理装置（ＳＴＡ）に対するチャネルリソースの他の割り当て例を示す図である。
【図１３】本技術の第１の実施の形態における情報処理装置（ＡＰ）１００によるデータ送信処理の処理手順の一例を示すフローチャートである。
【図１４】本技術の第１の実施の形態における情報処理装置（ＳＴＡ１）２０１によるデータ受信処理の処理手順の一例を示すフローチャートである。
【図１５】本技術の第２の実施の形態における情報処理装置（ＡＰ）１００によるＭＵリソースビットマップの割り当て通知と、情報処理装置（ＳＴＡ１）２０１乃至（ＳＴＡ３）２０３による情報送信との例を示すシーケンス図である。
【図１６】本技術の第２の実施の形態における各情報処理装置（ＳＴＡ）による送信内容と、情報処理装置（ＡＰ）１００による受信内容と、各情報処理装置（ＳＴＡ）によるＮＡＣＫ送信数との関係例を示す図である。
【図１７】本技術の第２の実施の形態における情報処理装置（ＡＰ）１００によるデータ送信処理の処理手順の一例を示すフローチャートである。
【図１８】本技術の第２の実施の形態における情報処理装置（ＳＴＡ１）２０１によるデータ受信処理の処理手順の一例を示すフローチャートである。
【図１９】本技術の第３の実施の形態における情報処理装置（ＡＰ）１００によるチャネルリソースの割り当て例を示す図である。
【図２０】本技術の第３の実施の形態における情報処理装置（ＡＰ）１００によるチャネルリソースの割り当て例を示す図である。
【図２１】本技術の第４の実施の形態における通信システム１０を構成する機器間でやりとりされるビーコンのフレームフォーマットの一例を示す図である。
【図２２】本技術の第４の実施の形態における情報処理装置（ＡＰ）１００がＭＵリソースビットマップを用いてＰＶＢを情報処理装置（ＳＴＡ）に通知する例を示す図である。
【図２３】本技術の第４の実施の形態における情報処理装置（ＡＰ）１００がＭＵリソースビットマップを用いてＰＶＢを情報処理装置（ＳＴＡ）に通知する例を示す図である。
【図２４】本技術の第４の実施の形態における情報処理装置（ＡＰ）１００がＭＵリソースビットマップを用いてＰＶＢを情報処理装置（ＳＴＡ）に通知する例を示す図である。
【図２５】スマートフォンの概略的な構成の一例を示すブロック図である。
【図２６】カーナビゲーション装置の概略的な構成の一例を示すブロック図である。
【図２７】無線アクセスポイントの概略的な構成の一例を示すブロック図である。
【発明を実施するための形態】
【００３３】
以下、本技術を実施するための形態（以下、実施の形態と称する）について説明する。説明は以下の順序により行う。
１．第１の実施の形態（情報処理装置（ＡＰ）が１つの情報処理装置（ＳＴＡ）に対してチャネルリソースを２つ以上割り当て通知する例）
２．第２の実施の形態（２つ以上の情報処理装置（ＳＴＡ）に対して同一のチャネルリソースを割り当て通知する例）
３．第３の実施の形態（複数のチャネルリソースのうち、一部を２つ以上の情報処理装置（ＳＴＡ）に対して同一に割り当て、他の一部を各情報処理装置（ＳＴＡ）に対して独立して割り当て通知する例）
４．第４の実施の形態（情報処理装置（ＡＰ）から情報処理装置（ＳＴＡ）に対してＭＵリソースビットマップを用いて情報を通知する例）
４．応用例
【００３４】
＜１．第１の実施の形態＞
［通信システムの構成例］
図１は、本技術の第１の実施の形態における通信システム１０の構成例を示す図である。
【００３５】
図１では、Ｎ＋１台の情報処理装置（ＳＴＡ０）１００、情報処理装置（ＳＴＡ１）２０１乃至（ＳＴＡ  Ｎ）２０４が存在し、そのうちの１台の機器に他のＮ台の機器が接続を確立している場合の例を示す。具体的には、情報処理装置（ＳＴＡ０（ＡＰ））１００に情報処理装置（ＳＴＡ１）２０１乃至（ＳＴＡ  Ｎ）２０４が接続を確立している場合の例を示す。また、接続を確立している情報処理装置は、同一のＭｕｌｔｉｃａｓｔデータを受信するグループに属する機器とすることができる。
【００３６】
例えば、情報処理装置（ＳＴＡ０）を基地局（ＡＰ（Access Point））とすることができる。このため、以下では、情報処理装置（ＳＴＡ０）を、情報処理装置（ＳＴＡ０（ＡＰ））、情報処理装置（ＡＰ）、ＡＰ等としても示す。また、情報処理装置（ＳＴＡ０（ＡＰ））１００との接続を確立している情報処理装置（ＳＴＡ１）２０１乃至（ＳＴＡ  Ｎ））２０４を同一のＭｕｌｔｉｃａｓｔグループに属する子機（ＳＴＡ（Station））とすることができる。
【００３７】
なお、図１では、無線通信を利用して機器間で直接通信する場合の通信経路の一例を点線で結んで示す。
【００３８】
また、例えば、情報処理装置（ＳＴＡ０（ＡＰ））１００、情報処理装置（ＳＴＡ１）２０１乃至（ＳＴＡ  Ｎ））２０４は、無線通信機能を備える固定型または携帯型の情報処理装置とすることができる。ここで、固定型の情報処理装置は、例えば、無線ＬＡＮ（Local Area Network）システムにおけるアクセスポイント（Ａｃｃｅｓｓ  Ｐｏｉｎｔ）、基地局等の情報処理装置である。また、携帯型の情報処理装置は、例えば、スマートフォン、携帯電話、タブレット端末等の情報処理装置である。
【００３９】
また、情報処理装置（ＳＴＡ０（ＡＰ））１００、情報処理装置（ＳＴＡ１）２０１乃至（ＳＴＡ  Ｎ））２０４は、例えば、ＩＥＥＥ（Institute of Electrical and Electronic Engineers）８０２．１１の無線ＬＡＮ規格に準拠した通信機能を備えるものとする。例えば、ＩＥＥＥ８０２．１１ａｘの無線ＬＡＮ規格に準拠した通信機能を備えることができる。また、無線ＬＡＮとして、例えば、Ｗｉ−Ｆｉ（Wireless Fidelity）、Ｗｉ−Ｆｉ  Ｄｉｒｅｃｔ、Ｗｉ−Ｆｉ  ＣＥＲＴＩＦＩＥＤ  Ｍｉｒａｃａｓｔ仕様（技術仕様書名：Ｗｉ−Ｆｉ  Ｄｉｓｐｌａｙ）を用いることができる。また、他の通信方式を利用した無線通信を行うようにしてもよい。
【００４０】
例えば、通信システム１０は、複数の機器が１対１で無線通信を行うことにより、複数の機器が相互に接続されるネットワーク（例えば、メッシュネットワーク、アドホックネットワーク）とすることができる。例えば、ＩＥＥＥ８０２．１１ｓのメッシュネットワークに適用することができる。
【００４１】
なお、本技術の実施の形態では、便宜上、送信元の機器（送信側機器）および送信先の機器（受信側機器）の動作を個別に記載して説明するが、それぞれの機器の双方の機能が搭載されていてもよく、片方の機能のみが搭載されていてもよい。
【００４２】
また、本技術の実施の形態で対象となるシステム構成は、これらに限定されない。例えば、図１では、１＋Ｎ台の情報処理装置により構成される通信システムの例を示すが、情報処理装置の数はこれに限定されない。また、複数の情報処理装置の接続形態についても、上述した各接続形態に限定されない。例えば、上述した各接続形態以外の接続形態により、複数の機器が接続されるネットワークについても、本技術の実施の形態を適用することができる。例えば、ある情報処理装置が接続のある複数の情報処理装置と通信することができる通信システムであれば、情報処理装置の数はこれに限定されない。
【００４３】
［情報処理装置（ＡＰ、ＳＴＡ）の機能構成例］
図２は、本技術の第１の実施の形態における情報処理装置（ＡＰ）１００の機能構成例を示すブロック図である。なお。図１に示す情報処理装置（ＳＴＡ１）２０１乃至（ＳＴＡ  Ｎ））２０４の機能構成（無線通信に関する構成）については、情報処理装置（ＡＰ）１００の機能構成と略同様である。
【００４４】
情報処理装置（ＡＰ）１００は、データ処理部１１０と、通信部１２０と、記憶部１３０と、電源部１４０と、制御部１５０とを備える。また、通信部１２０は、変復調部１２１と、信号処理部１２２と、無線インターフェース部１２３、１２４と、アンプ部１２５、１２６と、アンテナ１２７、１２８と、チャネル推定部１２９とを備える。また、通信部１２０は、ＯＦＤＭＡ（Orthogonal Frequency-Division Multiple Access）およびＭＵ−ＭＩＭＯ（Multi User Multiple Input Multiple Output）による通信を行うことができるものとする。
【００４５】
データ処理部１１０は、制御部１５０の制御に基づいて、各種データを処理するものである。例えば、上位層からデータが入力される送信時には、データ処理部１１０は、そのデータから無線送信のためのパケットを生成する。そして、データ処理部１１０は、メディアアクセス制御（ＭＡＣ（Media Access Control））のためのヘッダの付加や誤り検出符号の付加等の処理を実施し、処理後のデータを変復調部１２１に提供する。また、例えば、変復調部１２１からの入力がある受信時には、データ処理部１１０は、ＭＡＣヘッダの解析、パケット誤りの検出、リオーダー処理等を実施し、処理後のデータを自装置のプロトコル上位層に提供する。また、例えば、データ処理部１１０は、ヘッダの解析結果やパケット誤りの検出結果等を制御部１５０に通知する。
【００４６】
変復調部１２１は、制御部１５０の制御に基づいて、変復調処理を行うものである。例えば、送信時には、変復調部１２１は、データ処理部１１０からの入力データに対し、制御部１５０により設定されたコーディングおよび変調方式基づいて、エンコード、インターリーブおよび変調を行う。そして、変復調部１２１は、データシンボルストリームを生成して信号処理部１２２に提供する。また、例えば、受信時には、変復調部１２１は、信号処理部１２２からの入力に対して送信時と反対の処理を行い、データ処理部１１０または制御部１５０にデータを提供する。
【００４７】
信号処理部１２２は、制御部１５０の制御に基づいて、各種信号処理（例えば、空間信号処理）をするものである。例えば、送信時には、信号処理部１２２は、必要に応じて変復調部１２１からの入力に対して空間分離に供される信号処理（空間信号処理）を行い、得られた１つ以上の送信シンボルストリームを無線インターフェース部１２３、１２４に提供する。また、例えば、受信時には、信号処理部１２２は、無線インターフェース部１２３、１２４から入力された受信シンボルストリームに対して信号処理を行い、必要に応じてストリームの空間分解を行い、変復調部１２１に提供する。
【００４８】
無線インターフェース部１２３、１２４は、無線通信を利用して他の情報処理装置と接続して各種情報を送受信するためのインターフェースである。例えば、送信時には、無線インターフェース部１２３、１２４は、信号処理部１２２からの入力をアナログ信号へ変換し、フィルタリングおよび搬送波周波数へのアップコンバートを実施する。そして、無線インターフェース部１２３、１２４は、そのアナログ信号をアンプ部１２５、１２６を介してアンテナ１２７、１２８から送出する。また、例えば、受信時には、無線インターフェース部１２３、１２４は、アンテナ１２７、１２８またはアンプ部１２５、１２６からの入力に対して反対の処理を実施し、信号処理部１２２およびチャネル推定部１２９にデータを提供する。
【００４９】
アンプ部１２５、１２６は、アナログ信号を所定の電力まで増幅するアンプである。例えば、送信時には、アンプ部１２５、１２６は、無線インターフェース部１２３、１２４から入力されたアナログ信号を所定の電力まで増幅してアンテナ１２７、１２８から送出させる。また、例えば、受信時には、アンプ部１２５、１２６は、アンテナ１２７、１２８から入力された信号を所定の電力まで増幅して無線インターフェース部１２３、１２４に出力する。
【００５０】
なお、図２では、アンプ部１２５、１２６および無線インターフェース部１２３、１２４を異なる構成として示す。ただし、アンプ部１２５、１２６については、送信時の機能と受信時の機能とのうちの少なくとも一方が無線インターフェース部１２３、１２４に内包される構成とするようにしてもよい。
【００５１】
また、図２では、無線インターフェース部１２３とアンプ部１２５とアンテナ１２７とを１組とし、無線インターフェース部１２４とアンプ部１２６とアンテナ１２８とを１組として、これらの組み合わせが複数存在する場合の例を示す。ただし、無線インターフェース部、アンプ部およびアンテナについては、１組のみを構成要素とするようにしてもよい。
【００５２】
チャネル推定部１２９は、無線インターフェース部１２３、１２４からの入力信号のうち、プリアンブル部分およびトレーニング信号部分から伝搬路の複素チャネル利得情報を算出するものである。そして、その算出された複素チャネル利得情報は、制御部１５０を介して変復調部１２１での復調処理および信号処理部１２２での空間処理に利用される。
【００５３】
記憶部１３０は、制御部１５０によるデータ処理の作業領域としての役割や、各種データを保持する記憶媒体としての機能を有する。記憶部１３０として、例えば、不揮発性メモリ、磁気ディスク、光ディスク、ＭＯ（Magneto Optical）ディスク等の記憶媒体を用いることができる。なお、不揮発性メモリとして、例えば、ＥＥＰＲＯＭ（Electrically Erasable Programmable Read-Only Memory）、ＥＰＲＯＭ（Erasable Programmable ROM）を用いることができる。また、磁気ディスクとして、例えば、ハードディスク、円盤型磁性体ディスクを用いることができる。また、光ディスクとして、例えば、ＣＤ（Compact Disc）、ＤＶＤ−Ｒ（Digital Versatile Disc Recordable）、ＢＤ（Blu-Ray Disc（登録商標））を用いることができる。
【００５４】
電源部１４０は、制御部１５０の制御に基づいて、情報処理装置（ＡＰ）１００の各部に電力を供給するものである。例えば、情報処理装置（ＡＰ）１００が固定型の機器である場合には、電源部１４０は、固定電源で構成される。また、例えば、情報処理装置（ＡＰ）１００が携帯型の機器（例えば、モバイル機器）である場合には、電源部１４０は、バッテリー電源で構成される。
【００５５】
制御部１５０は、制御プログラムに基づいて、情報処理装置（ＡＰ）１００における各部の受信動作および送信動作を制御するものである。例えば、制御部１５０は、情報処理装置（ＡＰ）１００における各部間の情報の受け渡しを行う。また、例えば、制御部１５０は、変復調部１２１および信号処理部１２２におけるパラメータ設定、データ処理部１１０におけるパケットのスケジューリングを行う。また、例えば、制御部１５０は、無線インターフェース部１２３、１２４およびアンプ部１２５、１２６のパラメータ設定および送信電力制御を行う。
【００５６】
また、例えば、制御部１５０は、ＯＦＤＭＡおよびＭＵ−ＭＩＭＯで通信するための制御を行う。また、例えば、制御部１５０は、簡素化したフレームフォーマットを送信し、チャネルリソースの割り当てを決定し、その割り当てを通知し、その割り当てに従った通信をするための制御を行う。
【００５７】
［ＯＦＤＭＡおよびＭＵ−ＭＩＭＯによる多重化を両方同時使用する場合のチャネルリソース例］
図３は、本技術の第１の実施の形態における通信システム１０を構成する各機器により使用されるチャネルリソースを模式的に示す図である。
【００５８】
図３の左側には、ＯＦＤＭＡによるＭ個の周波数リソース（リソースＲ１（３０１）乃至ＲＭ（３０２））を示す。また、図３の右側には、ＭＵ−ＭＩＭＯによるＮ個の空間リソースを示す。
【００５９】
図３に示すように、Ｍ個の周波数リソースを有するＯＦＤＭＡと、Ｎ個の空間リソースを有するＭＵ−ＭＩＭＯとの組合せにより、合計Ｍ×Ｎのチャネルリソースを確保することができる。すなわち、リソースＲ１−１（３１１）乃至ＲＭ−Ｎ（３１４）を確保することができる。
【００６０】
また、図３では、説明の容易のため、各チャネルリソースには、識別情報（Ｒ１−１、…、Ｒ１−Ｎ、…、ＲＭ−１、…、ＲＭ−Ｎ）を付して示す。
【００６１】
［パケットのフレームフォーマット例］
図４は、本技術の第１の実施の形態における通信システム１０を構成する各機器によりやりとりされるパケットのフレームフォーマット例を模式的に示す図である。
【００６２】
図４のａには、一般的なパケットのフレームフォーマット例を示す。図４のａに示すパケットは、例えば、ヘッダ３２１およびペイロード３２２により構成される。
【００６３】
図４のｂには、一般的なパケットのフレームフォーマットを簡素化したフレームフォーマット例を示す。図４のｂに示すパケットは、一般的なフレームフォーマットを簡素化したものであり、例えば、ヘッダ３３１のみにより構成される。このように、図４のｂでは、非常に小さい情報量（例えば、１ビット、数ビット）のみが表現可能なフレームの構成例を示す。
【００６４】
ここで、図４のｂに示すパケット（ヘッダ３３１）に１ビットを格納する場合には、例えば、実際に０／１を格納するフィールドを用いることができる。また、既知の符号化パターンにより、０／１を表現するようにしてもよい。なお、これらは、一例であり、他の構成のパケットを使用するようにしてもよく、他の情報伝達手段（例えば、電力の強弱）により、情報の伝達を行うようにしてもよい。
【００６５】
例えば、ＯＦＤＭＡおよびＭＵ−ＭＩＭＯによる多重化を両方同時に使用することが可能な情報処理装置において、図４のｂに示すフレーム（一般的なフレームフォーマットを簡素化したフレーム）を構成する場合を想定する。この場合には、それらの組合せにより小さいオーバーヘッドで小さい情報量を複数の情報処理装置と通信することが可能となる。
【００６６】
すなわち、図３に示すように複数のチャネルリソースと、図４のｂに示す簡素化したフレームフォーマットとの組合せにより、小さいオーバーヘッドで小さい情報量を複数の情報処理装置と通信することができる。なお、本技術の実施の形態では、それらの組み合せをＭＵリソースビットマップと称して説明する。
【００６７】
また、本技術の第１の実施の形態では、情報処理装置（ＡＰ）１００が、１つの情報処理装置（ＳＴＡ）に対してチャネルリソースを２つ以上割り当て通知する例を示す。
【００６８】
ここで、上述したように、ＭＵリソースビットマップは、最大でＲ１−１乃至ＲＭ−Ｎの合計Ｍ×Ｎのリソースが存在する。ただし、本技術の第１の実施の形態では、説明の容易のため、Ｍ＝９、Ｎ＝４とし、合計３６のリソースが存在する場合の例を示す。
【００６９】
また、情報処理装置（ＡＰ）１００が、ＭＵリソースビットマップを情報処理装置（ＳＴＡ１）２０１乃至（ＳＴＡ３）２０３に対して割り当てる場合の例を図５乃至図８に示す。また、図５乃至図８では、その割り当てに基づいて、情報処理装置（ＳＴＡ１）２０１乃至（ＳＴＡ３）２０３が情報を情報処理装置（ＡＰ）１００に送信する場合の例を示す。また、図５乃至図８では、３台の情報処理装置（ＳＴＡ１）２０１乃至（ＳＴＡ３）２０３に対して各３つのチャネルリソースを割り当てる場合の例を示す。
【００７０】
［ＭＵリソースビットマップの割り当て通知とその割り当てに基づく情報送信例］
図５乃至図８は、本技術の第１の実施の形態における情報処理装置（ＡＰ）１００によるＭＵリソースビットマップの割り当て通知と、情報処理装置（ＳＴＡ１）２０１乃至（ＳＴＡ３）２０３による情報送信との例を示すシーケンス図である。
【００７１】
図５乃至図８では、情報処理装置（ＳＴＡ１）２０１乃至（ＳＴＡ３）２０３は、情報処理装置（ＡＰ）１００により要求された情報を情報処理装置（ＡＰ）１００に多重化送信をする場合の例を示す。なお、図５乃至図８に示す横軸は、時間軸を示す。また、各機器から送信されるデータを、各機器に対応する時間軸の上側に矩形で示す。なお、この矩形内には、データの名称、または、使用するチャネルリソースの識別情報を付して示す。
【００７２】
ここで、本技術の第１の実施の形態では、帯域を２０ＭＨｚとし、その帯域をＯＦＤＭＡにより最大９つのサブチャネルに分割する例を示す。また、図５乃至図８では、２０ＭＨｚをＯＦＤＭＡで３つ以上に分割し、そのうちの３つの周波数リソースを情報処理装置（ＳＴＡ１）２０１乃至（ＳＴＡ３）２０３に割り当てる例を示す。また、図５乃至図８では、１つの周波数リソースについて、ＭＵ−ＭＩＭＯにより空間リソースを３つ割り当てる例を示す。
【００７３】
図５には、情報処理装置（ＡＰ）１００が、ＭＵリソースビットマップの割り当てに関する情報（チャネルリソース割り当て情報（フレーム４０２に含まれる））をトリガフレーム４０１と連結して通知する例を示す。
【００７４】
ここで、トリガフレーム４０１は、アップリンク多重送信を引き起こす起点となるフレームを意味する。また、トリガフレーム４０１には、情報処理装置（ＳＴＡ１）２０１乃至（ＳＴＡ３）２０３がアップリンク多重送信で送信する情報およびその他送信方法（例えば、変調符号化方式、送信電力、時刻（送信タイミング））に関する指示が含まれる。
【００７５】
ここで、多重送信は、複数の信号（データ）をまとめ、１または複数の共有された伝送路で送信することを意味する。また、多重送信は、多重化送信、多重伝送、多重通信とも称する。例えば、複数の情報処理装置（ＳＴＡ）からのデータを、同じタイミングで１つの情報処理装置（ＡＰ）１００に送信する送信方法は、情報処理装置（ＡＰ）１００へのアップリンク多重化送信として把握することができる。
【００７６】
また、図５では、チャネルリソース割り当て情報を単一のフレーム４０２に格納し、フレーム４０２を情報処理装置（ＳＴＡ１）２０１乃至（ＳＴＡ３）２０３が受信できる方法により送信するチャネルリソース割り当て情報の通知例を示す。例えば、フレーム４０２における宛先を、フレーム４０２を受信すべき情報処理装置（ＳＴＡ１）２０１乃至（ＳＴＡ３）２０３が属するグループを指す宛先とすることにより、フレーム４０２の送信を行うことができる。
【００７７】
具体的には、情報処理装置（ＡＰ）１００は、チャネルリソース割り当て情報（フレーム４０２に含まれる）をトリガフレーム４０１と連結して連結フレームとする。そして、情報処理装置（ＡＰ）１００は、チャネルリソース割り当て情報およびトリガフレーム４０１が連結された連結フレームを情報処理装置（ＳＴＡ１）２０１乃至（ＳＴＡ３）２０３に送信する。
【００７８】
ここで、連結フレームは、複数の情報処理装置が受信できる方法で送信することができる。例えば、連結フレームは、ＯＦＤＭＡ、ＭＵ−ＭＩＭＯ（Multi User Multiple Input Multiple Output）、Ｍｕｌｔｉｃａｓｔ、Ｂｒｏａｄｃａｓｔにより送信することができる。また、この場合の連結フレームのフレームフォーマットとして、図４のａに示す一般的なパケットのフレームフォーマットを使用することができる。また、チャネルリソース割り当て情報は、図４のａに示すペイロードにおける所定の領域に記録することができる。この所定の領域については、予め設定するものとする。
【００７９】
また、フレーム４０２に含まれるチャネルリソース割り当て情報（ＭＵリソースビットマップの割り当てに関する情報）は、情報処理装置（ＳＴＡ１）２０１乃至（ＳＴＡ３）２０３に割り当てたチャネルリソースを特定するための情報である。例えば、各情報処理装置（ＳＴＡ）の識別情報と、チャネルリソースを特定するための識別情報とを関連付けた情報を、チャネルリソース割り当て情報とすることができる。図５では、フレーム４０２内に、チャネルリソース割り当て情報を簡略化して示す。
【００８０】
また、トリガフレーム４０１を受信した情報処理装置（ＳＴＡ１）２０１乃至（ＳＴＡ３）２０３は、受信したトリガフレーム４０１に含まれる情報に基づいてアップリンク多重送信を行う。例えば、情報処理装置（ＳＴＡ１）２０１乃至（ＳＴＡ３）２０３は、アップリンク多重送信に関する情報（例えば、変調符号化方式、送信電力、時刻（送信タイミング））に基づいて、情報４０３乃至４１１をアップリンク多重送信する。
【００８１】
また、フレーム４０２を受信した情報処理装置（ＳＴＡ１）２０１乃至（ＳＴＡ３）２０３は、受信したフレーム４０２に含まれるチャネルリソース割り当て情報に基づいて、通知されたチャネルリソースを用いてアップリンク多重送信を行う。例えば、情報処理装置（ＳＴＡ１）２０１は、通知されたチャネルリソースＲ１−１乃至Ｒ１−３を用いて、情報４０３乃至４０５をアップリンク多重送信する。また、情報処理装置（ＳＴＡ２）２０２は、通知されたチャネルリソースＲ２−１乃至Ｒ２−３を用いて、情報４０６乃至４０８をアップリンク多重送信する。また、情報処理装置（ＳＴＡ３）２０３は、通知されたチャネルリソースＲ３−１乃至Ｒ３−３を用いて、情報４０９乃至４１１をアップリンク多重送信する。
【００８２】
図５乃至図８では、送信に用いるチャネルリソースの識別情報Ｒ１−１乃至Ｒ３−３を、情報４０３乃至４１１を示す矩形の隣に示す。なお、情報４０３乃至４１１の内容については、図９乃至図１１を参照して詳細に説明する。
【００８３】
なお、図５では、フレーム４０２（チャネルリソース割り当て情報を含む）と、トリガフレーム４０１とを連結して連結フレームとして通知する例を示すが、トリガフレーム４０１の一部にチャネルリソース割り当て情報を含めて通知するようにしてもよい。
【００８４】
図６には、情報処理装置（ＡＰ）１００が、チャネルリソース割り当て情報（フレーム４２１に含まれる）をトリガフレーム４２２とは異なるタイミングで通知する例を示す。具体的には、図６では、チャネルリソース割り当て情報の通知をトリガフレーム４２２の前に行う例を示す。
【００８５】
なお、チャネルリソース割り当て情報を通知するためのフレーム４２１は、図５に示すフレーム４０２に対応し、トリガフレーム４２２は、図５に示すトリガフレーム４０１に対応する。このため、ここでの詳細な説明を省略する。
【００８６】
ここで、チャネルリソース割り当て情報を通知するためのフレーム４２１については、図６に示すように、単独で送信するようにしてもよく、他のフレーム（例えば、ビーコン）とともに送信するようにしてもよい。
【００８７】
また、チャネルリソース割り当て情報を通知するためのフレーム４２１については、トリガフレーム４２２が送信される時刻（送信タイミング）に関する情報を含めて送信するようにしてもよい。これにより、フレーム４２１を受信した情報処理装置（ＳＴＡ）は、トリガフレーム４２２の送信タイミングを把握することができる。
【００８８】
図７には、情報処理装置（ＡＰ）１００が、チャネルリソース割り当て情報（フレーム４３２に含まれる）をトリガフレーム４３１と連結して通知する他の例を示す。
【００８９】
具体的には、図７では、チャネルリソース割り当て情報を通知するフレームを多重化して送信する例を示す。この多重化送信の際に用いられるチャネルリソースは、各情報処理装置（ＳＴＡ）に通知するチャネルリソースと同一のものを用いるようにする。
【００９０】
例えば、情報処理装置（ＳＴＡ１）２０１に対してチャネルリソースＲ１−１を用いてアップリンク多重化送信を行うように通知する場合を想定する。この場合には、情報処理装置（ＡＰ）１００は、チャネルリソースＲ１−１を用いて情報処理装置（ＳＴＡ１）２０１にフレーム４３２を送信することにより、情報処理装置（ＳＴＡ１）２０１にチャネルリソースＲ１−１が割り当てられている旨を通知する。
【００９１】
なお、図７では、フレーム４３２内に、チャネルリソース割り当て情報（例えば、宛先、チャネルリソースの識別情報）を簡略化して示す。また、送信に用いるチャネルリソースの識別情報Ｒ１−１乃至Ｒ３−３を、各フレームを示す矩形の隣に示す。このように、図７では、通知すべき宛先に関する情報（チャネルリソース割り当て情報）のみが、各フレーム４３２に格納される。
【００９２】
なお、トリガフレーム４３１は、図５に示すトリガフレーム４０１に対応する。ただし、図７に示す例では、複数のチャネルリソースを使用するため、図５に示す例よりも、トリガフレーム４３１の送信時間が短くなる。ここで、複数のチャネルリソースは、ＯＦＤＭＡによるサブチャネルとしての周波数リソースと、ＭＩＭＯによる空間リソースとを含むが、主に、ＭＩＭＯによるデータレートの向上により、送信時間が短縮される。
【００９３】
また、トリガフレーム４３１については、ＯＦＭＤＡまたはＭＩＭＯで送信し、フレーム４３２については、ＯＦＭＤＡまたはＭＵ―ＭＩＭＯで送信することができる。
【００９４】
なお、図７では、フレーム４３２（チャネルリソース割り当て情報を含む）と、トリガフレーム４３１とを連結して連結フレームとして通知する例を示すが、トリガフレーム４３１の一部にチャネルリソース割り当て情報を含めて通知するようにしてもよい。
【００９５】
図８には、情報処理装置（ＡＰ）１００が、トリガフレーム４４１のみを用いてチャネルリソース割り当て情報を通知する例を示す。
【００９６】
具体的には、図８では、チャネルリソース割り当て情報を通知するトリガフレーム４４１を多重化して送信する例を示す。この多重化送信の際に用いられるチャネルリソースは、各情報処理装置（ＳＴＡ）に通知するチャネルリソースと同一のものを用いるようにする。
【００９７】
例えば、情報処理装置（ＳＴＡ１）２０１に対してチャネルリソースＲ１−１を用いてアップリンク多重化送信を行うように通知する場合を想定する。この場合には、情報処理装置（ＡＰ）１００は、チャネルリソースＲ１−１を用いて情報処理装置（ＳＴＡ１）２０１にトリガフレーム４４１を送信することにより、情報処理装置（ＳＴＡ１）２０１にチャネルリソースＲ１−１が割り当てられている旨を通知する。
【００９８】
なお、図８では、トリガフレーム４４１内に、チャネルリソース割り当て情報（例えば、宛先、チャネルリソースの識別情報）を簡略化して示す。また、送信に用いるチャネルリソースの識別情報Ｒ１−１乃至Ｒ３−３を、各トリガフレームを示す矩形の隣に示す。このように、図８では、通知すべき宛先に関する情報（チャネルリソース割り当て情報）のみが、各トリガフレーム４４１に格納される。
【００９９】
また、トリガフレーム４４１については、ＯＦＭＤＡまたはＭＵ―ＭＩＭＯで送信することができる。
【０１００】
［チャネルリソースの割り当てと割り当てられたチャネルリソースを用いた情報の送信例］
本技術の第１の実施の形態では、情報処理装置（ＳＴＡ）から情報処理装置（ＡＰ）１００に少なくとも１つの情報を通知させるため、情報処理装置（ＡＰ）１００が、１つの情報処理装置（ＳＴＡ）に対してチャネルリソースを２つ以上割り当てる場合の例を示す。また、図９乃至図１２では、具体的な割り当て方法について説明する。
【０１０１】
［１つの情報処理装置（ＳＴＡ）に３つのチャネルリソースを割り当て情報処理装置（ＳＴＡ）から情報処理装置（ＡＰ）に１つの情報を通知する例］
図９は、本技術の第１の実施の形態における情報処理装置（ＳＴＡ）に対するチャネルリソースの割り当て例と、情報処理装置（ＳＴＡ）から情報処理装置（ＡＰ）１００への情報の通知例とを示す図である。
【０１０２】
具体的には、図９には、１つの情報を通知させるため、１つの情報処理装置（ＳＴＡ）に対してチャネルリソースを２つ以上割り当てる場合の例を示す。この場合に、１つのチャネルリソースについて１ビットの情報量を通知することができるものとする。例えば、１つの情報処理装置（ＳＴＡ）に３つのチャネルリソースが割り当てられた場合には、情報処理装置（ＳＴＡ）は３ビットの情報を情報処理装置（ＡＰ）に通知することができる。
【０１０３】
図９のａには、チャネルリソースの割り当て例を示す。図９のａでは、１つの情報処理装置（ＳＴＡ）に対して３つのチャネルリソースを割り当てる例を示す。例えば、チャネルリソースＲ１−１乃至Ｒ１−３を情報処理装置（ＳＴＡ１）２０１に割り当てることができる。同様に、チャネルリソースＲ２−１乃至Ｒ２−３を情報処理装置（ＳＴＡ２）２０２に割り当て、チャネルリソースＲ３−１乃至Ｒ３−３を情報処理装置（ＳＴＡ３）２０３に割り当てることができる。なお、図９では、チャネルリソースＲ１−４、Ｒ２−４、Ｒ３−４を割り当てない例を示す。
【０１０４】
図９のｂには、割り当てられたチャネルリソースと、情報処理装置（ＡＰ）１００への通知情報との関係例を示す。図９のｂでは、情報処理装置（ＳＴＡ）から情報処理装置（ＡＰ）に対して、ＰＥＲ（Packet. Error Rate）を通知する場合の例を示す。
【０１０５】
図９のｂに示すように、各情報処理装置（ＳＴＡ）は、自装置に割り当てられた３つのチャネルリソースを用いて３ビットの情報を送信することができる。この場合に、各情報処理装置（ＳＴＡ）は、８段階の範囲から、自装置において測定されたＰＥＲの値に対応する範囲を特定し、その範囲の情報を送信する。
【０１０６】
例えば、自装置において測定されたＰＥＲの値が０．０１〜０．０２である場合には、情報処理装置（ＳＴＡ１）２０１は、ＰＥＲの範囲「０．０１〜０．０２」に対応する情報（Ｒ１−１「０」、Ｒ１−２「０」、Ｒ１−３「１」）を送信する。
【０１０７】
なお、ＰＥＲを３ビットの情報で送信する旨の指示は、何らかの情報に基づいて行うことができる。例えば、その旨の指示をビーコンに含めてやりとりするようにしてもよく、他の情報の事前のやりとりで行うようにしてもよい。また、送信する情報（３ビットの情報）を生成するための情報（例えば、図９のｂに示す表）は、ビーコンに含めて通知するようにしてもよく、他の事前のやりとりで通知するようにしてもよい。また、送信する情報を生成するための情報として、閾値（例えば、ＰＥＲ、ＲＳＳＩの閾値）を通知し、その閾値を超えた場合のみ情報処理装置（ＳＴＡ）に情報を送信させるようにしてもよい。このように、情報処理装置（ＡＰ）１００は、各情報処理装置（ＳＴＡ）に対して送信条件に関する情報（例えば、ＰＥＲの閾値）を通知することができる。この場合には、各情報処理装置（ＳＴＡ）は、その送信条件に関する情報（例えば、ＰＥＲの閾値）に基づいて、情報処理装置（ＡＰ）１００に情報（例えば、ＰＥＲの値）を送信するか否かを判断することができる。すなわち、情報処理装置（ＡＰ）１００の制御部１５０は、各情報処理装置（ＳＴＡ）に対して送信条件に関する情報を通知し、各情報処理装置（ＳＴＡ）にその通知された情報に基づいて信号を送信させる制御を行うことができる。
【０１０８】
［１つの情報処理装置（ＳＴＡ）に３つのチャネルリソースを割り当て情報処理装置（ＳＴＡ）から情報処理装置（ＡＰ）に２つの情報を通知する例］
図１０は、本技術の第１の実施の形態における情報処理装置（ＳＴＡ）に対するチャネルリソースの割り当て例と、情報処理装置（ＳＴＡ）から情報処理装置（ＡＰ）１００への情報の通知例とを示す図である。
【０１０９】
具体的には、図１０には、２つの情報を通知させるため、１つの情報処理装置（ＳＴＡ）に対してチャネルリソースを２つ以上割り当てる場合の例を示す。例えば、１つの情報処理装置（ＳＴＡ）に３つのチャネルリソースが割り当てられた場合には、３ビットの情報を通知することができる。そこで、図１０では、一方の情報を通知するために２ビットを使用し、他方の情報を通知するために１ビットを使用する例を示す。
【０１１０】
図１０のａには、チャネルリソースの割り当て例を示す。図１０のａでは、１つの情報処理装置（ＳＴＡ）に対して３つのチャネルリソースを割り当てる例を示す。
【０１１１】
図１０のｂには、割り当てられたチャネルリソースと、情報処理装置（ＡＰ）１００への通知情報との関係例を示す。図１０のｂでは、情報処理装置（ＳＴＡ）から情報処理装置（ＡＰ）１００に対して、ＰＥＲおよびＲＳＳＩ（Received Signal Strength Indicator）を通知する場合の例を示す。
【０１１２】
図１０のｂに示すように、各情報処理装置（ＳＴＡ）は、自装置に割り当てられた３つのチャネルリソースを用いて３ビットの情報を送信することができる。この場合に、各情報処理装置（ＳＴＡ）は、２段階の範囲から、自装置において測定されたＰＥＲの値に対応する範囲を特定し、その範囲の情報を送信する。また、各情報処理装置（ＳＴＡ）は、４段階の範囲から、自装置において測定されたＲＳＳＩの値に対応する範囲を特定し、その範囲の情報を送信する。
【０１１３】
例えば、自装置において測定されたＰＥＲの値が０．１０〜１．００である場合には、情報処理装置（ＳＴＡ１）２０１は、ＰＥＲの範囲「０．１０〜１．００」に対応する情報（Ｒ１−１「１」）を送信する。また、例えば、自装置において測定されたＲＳＳＩの値が−４０ｄＢｍ〜０ｄＢｍである場合には、情報処理装置（ＳＴＡ１）２０１は、ＲＳＳＩの範囲「−４０ｄＢｍ〜０ｄＢｍ」に対応する情報（Ｒ１−２「１」、Ｒ１−３「０」）を送信する。
【０１１４】
このように、情報処理装置（ＡＰ）１００の制御部１５０は、複数のチャネルリソースを複数の情報処理装置（ＳＴＡ）に割り当て、その割り当てを複数の情報処理装置（ＳＴＡ）に通知する制御を行う。この場合に、情報処理装置（ＡＰ）１００の制御部１５０は、各情報処理装置（ＳＴＡ）について２以上のチャネルリソースを割り当てることができる。なお、複数のチャネルリソースは、例えば、図３に示すように、周波数チャネルのリソースと空間チャネルのリソースとの組み合わせにより構成される。
【０１１５】
また、情報処理装置（ＡＰ）１００の制御部１５０は、簡素化されたフレームフォーマットによる信号を、その割り当てたチャネルリソースを用いて送信することを通知する制御を行う。また、情報処理装置（ＡＰ）１００の制御部１５０は、その割り当てられた複数のチャネルリソースを用いて情報処理装置（ＳＴＡ）が信号を送信するために必要となる情報を通知する制御を行う。その必要となる情報は、例えば、変調符号化方式、送信電力、時刻（送信タイミング）、送信すべき情報である。これらは、例えば、トリガフレーム（例えば、図５に示すトリガフレーム４０１）、ビーコン等により通知することができる。
【０１１６】
また、情報処理装置（ＡＰ）１００の制御部１５０は、２以上のチャネルリソースを用いて１以上の情報を情報処理装置（ＡＰ）１００に通知するための信号を送信する旨を情報処理装置（ＳＴＡ）に通知する制御を行う。この場合に、情報処理装置（ＡＰ）１００の制御部１５０は、その１以上の情報として情報処理装置（ＳＴＡ）の受信状況に関する情報（例えば、ＰＥＲ、ＲＳＳＩ）を送信させる制御を行うことができる。これらは、例えば、トリガフレーム（例えば、図５に示すトリガフレーム４０１）、ビーコン等により通知することができる。
【０１１７】
また、情報処理装置（ＡＰ）１００の通信部１２０は、その割り当てられた複数のチャネルリソースを用いて、情報処理装置（ＳＴＡ）から送信された信号を、複数のチャネルリソース毎に受信する。この場合に、情報処理装置（ＡＰ）１００の制御部１５０は、複数のチャネルリソース毎に受信した複数の信号により構成される１以上の情報（例えば、ＰＥＲ、ＲＳＳＩ）を取得することができる。
【０１１８】
また、情報処理装置（ＳＴＡ）の制御部（図２に示す制御部１５０に相当）は、情報処理装置（ＡＰ）１００から通知されたチャネルリソースの範囲で、指示された複数の信号（例えば、３ビット）を送信して１以上の情報を通知することができる。
【０１１９】
［情報処理装置（ＳＴＡ）から情報処理装置（ＡＰ）に通知する情報に冗長性を持たせる例］
図１１は、本技術の第１の実施の形態における情報処理装置（ＳＴＡ）に対するチャネルリソースの割り当て例と、情報処理装置（ＳＴＡ）から情報処理装置（ＡＰ）１００への情報の通知例とを示す図である。
【０１２０】
具体的には、図１１には、２つの情報を通知させるため、１つの情報処理装置（ＳＴＡ）に対してチャネルリソースを２つ以上割り当てる場合の例を示す。また、図１１では、情報に冗長性を持たせるため、同一の情報を２つ以上のチャネルリソースを用いて通知する例を示す。
【０１２１】
例えば、１つの情報処理装置（ＳＴＡ）に３つのチャネルリソースが割り当てられた場合に、２つの情報に対してそれぞれ１ビット分の情報を通知することを考える。この場合に、比較的重要な情報に対して残りの１ビットを用いて同一の情報を通知させることができる。これにより、比較的重要な情報の冗長性を増加させることができ、通信の質を向上させることができる。
【０１２２】
また、その重要な情報は、複数の情報のうちのどれかではなく、例えば、ある単一の情報の重要なビット（例えば、最上位ビット）とするようにしてもよい。
【０１２３】
図１１のａには、チャネルリソースの割り当て例を示す。図１１のａでは、１つの情報処理装置（ＳＴＡ）に対して３つのチャネルリソースを割り当てる例を示す。
【０１２４】
図１１のｂには、割り当てられたチャネルリソースと、情報処理装置（ＡＰ）１００への通知情報との関係例を示す。図１１のｂでは、情報処理装置（ＳＴＡ）から情報処理装置（ＡＰ）１００に対して、ＰＥＲおよびＲＳＳＩを通知する場合の例を示す。ただし、図１１のｂでは、比較的重要な情報をＰＥＲとし、ＰＥＲに対して１ビットを用いて同一の情報を通知する例を示す。
【０１２５】
図１１のｂに示すように、各情報処理装置（ＳＴＡ）は、自装置に割り当てられた３つのチャネルリソースを用いて３ビットの情報を送信することができる。この場合に、各情報処理装置（ＳＴＡ）は、２段階の範囲から、自装置において測定されたＰＥＲの値に対応する範囲を特定し、その範囲の情報を１ビットを用いて送信する。ここで、上述したように、各情報処理装置（ＳＴＡ）は、その情報と同一の情報を他の１ビットを用いて送信する。
【０１２６】
また、各情報処理装置（ＳＴＡ）は、２段階の範囲から、自装置において測定されたＲＳＳＩの値に対応する範囲を特定し、その範囲の情報を送信する。
【０１２７】
例えば、自装置において測定されたＰＥＲの値が０．１０〜１．００である場合には、情報処理装置（ＳＴＡ１）２０１は、ＰＥＲの範囲「０．１０〜１．００」に対応する情報（Ｒ１−１「１」）を送信する。この場合に、情報処理装置（ＳＴＡ１）２０１は、その情報と同一の情報「１」を他のチャネルリソースＲ１−３を用いて送信する。
【０１２８】
また、例えば、自装置において測定されたＲＳＳＩの値が−４０ｄＢｍ〜である場合には、情報処理装置（ＳＴＡ１）２０１は、ＲＳＳＩの範囲「−４０ｄＢｍ〜」に対応する情報（Ｒ１−２「１」）を送信する。
【０１２９】
このように、情報処理装置（ＡＰ）１００の制御部１５０は、同一の情報を情報処理装置（ＡＰ）１００に通知するための信号を、異なるチャネルリソースを用いて送信する旨を複数の情報処理装置（ＳＴＡ）に通知する制御を行うことができる。この場合には、情報処理装置（ＳＴＡ）は、同一の情報（例えば、ＰＥＲ）を情報処理装置（ＡＰ）１００に通知するための信号を、異なるチャネルリソースを用いて送信する。
【０１３０】
［チャネルリソースの他の割り当て例］
図１２は、本技術の第１の実施の形態における情報処理装置（ＳＴＡ）に対するチャネルリソースの他の割り当て例を示す図である。
【０１３１】
図１２のａには、周波数として同一のチャネルリソースに同一の情報処理装置（ＳＴＡ）を割り当てる場合の例を示す。図１２のｂには、空間として同一のチャネルリソースに同一の情報処理装置（ＳＴＡ）を割り当てる場合の例を示す。図１２のｃには、冗長ビットを周波数または空間として異なるチャネルリソースに割り当てる場合の例を示す。
【０１３２】
図１２のａに示すように、１つの情報処理装置（ＳＴＡ）に対してチャネルリソースを２つ以上割り当てる場合には、そのチャネルリソースを同一の周波数チャネルに割り当てることができる。例えば、情報処理装置（ＳＴＡ１）２０１に対してチャネルリソースＲ１−１乃至Ｒ１−３を割り当てることができる。このように割り当てることにより、ある周波数チャネルにおいて通信環境が劣化しても、ある情報処理装置（ＳＴＡ）の情報については、その劣化の影響を受けずに受信することができる。
【０１３３】
また、図１２のｂに示すように、１つの情報処理装置（ＳＴＡ）に対してチャネルリソースを２つ以上割り当てる場合には、そのチャネルリソースを同一の空間チャネルに割り当てることができる。例えば、情報処理装置（ＳＴＡ１）２０１に対してチャネルリソースＲ１−１、Ｒ２−１、Ｒ３−１を割り当てることができる。このように割り当てることにより、ある空間チャネルにおいて通信環境が劣化しても、ある情報処理装置（ＳＴＡ）の情報については、その劣化の影響を受けずに受信することができる。
【０１３４】
このように、情報処理装置（ＡＰ）１００の制御部１５０は、情報処理装置（ＳＴＡ）に２以上のチャネルリソースを割り当てる場合に、同一の周波数チャネルのリソースまたは同一の空間チャネルのリソースを割り当てることができる。
【０１３５】
また、図１２のｃに示すように、１つの情報処理装置（ＳＴＡ）に対してチャネルリソースを２つ以上割り当てる場合には、そのチャネルリソースを周波数または空間として異なるチャネルリソースに割り当てることができる。例えば、情報処理装置（ＳＴＡ１）２０１に対してチャネルリソースＲ１−１乃至Ｒ１−３、Ｒ２−４を割り当てることができる。この場合には、冗長ビットをチャネルリソースＲ２−４に割り当てることができる。このように割り当てることにより、ある周波数チャネルにおいて通信環境が劣化しても、冗長ビットの情報については、その劣化の影響を受けずに受信することができる。
【０１３６】
これらの割り当て方法については、通信環境に応じて、適宜変更するようにしてもよい。例えば、情報処理装置（ＡＰ）１００は、ある情報処理装置（ＳＴＡ）に要求した情報が送信されないことを検出した場合には、その情報処理装置（ＳＴＡ）に対して割り当てるチャネルリソースを変更することができる。また、例えば、割り当て方法を変更して、その情報処理装置（ＳＴＡ）に対して割り当てるチャネルリソースを変更するようにしてもよい。
【０１３７】
なお、各情報処理装置（ＳＴＡ）に割り当てられたチャネルリソースにより通知される情報は、上述したものに限定されない。例えば、他の情報を、各情報処理装置（ＳＴＡ）に割り当てられたチャネルリソースにより通知するようにしてもよい。例えば、他の情報として、情報処理装置（ＳＴＡ）における受信状況に関する情報を通知するようにしてもよい。ここで、受信状況は、例えば、パケットエラーレート、スループット、ＳＮＲ（Signal Noise Ratio（信号雑音電力比））、受信パケット数、ＲＳＳＩ（Received Signal Strength Indicator（受信信号強度））、Ｂｌｏｃｋ  Ａｃｋ  Ｂｉｔｍａｐに関する情報である。また、これらの組み合わせを、所定のパターンを使用して送信するようにしてもよい。
【０１３８】
［情報処理装置（ＡＰ）の動作例］
図１３は、本技術の第１の実施の形態における情報処理装置（ＡＰ）１００によるデータ送信処理の処理手順の一例を示すフローチャートである。
【０１３９】
情報処理装置（ＡＰ）１００の制御部１５０は、自装置に接続されている各情報処理装置（ＳＴＡ）に、２以上の情報を要求するか否かを判断する（ステップＳ８０１）。各情報処理装置（ＳＴＡ）に２以上の情報を要求する場合には（ステップＳ８０１）、情報処理装置（ＡＰ）１００の制御部１５０は、要求すべき２以上の情報を送信するためのチャネルリソースの割り当てを決定する（ステップＳ８０２）。例えば、図１０または図１１に示す割り当て方法により決定することができる。
【０１４０】
各情報処理装置（ＳＴＡ）に１つの情報を要求する場合には（ステップＳ８０１）、情報処理装置（ＡＰ）１００の制御部１５０は、要求すべき１つの情報を送信するためのチャネルリソースの割り当てを決定する（ステップＳ８０３）。例えば、図９に示す割り当て方法により決定することができる。
【０１４１】
続いて、情報処理装置（ＡＰ）１００の制御部１５０は、特定の情報に対して冗長性を持たせるか否かを判断する（ステップＳ８０４）。何れの情報に対しても冗長性を持たせない場合には（ステップＳ８０４）、ステップＳ８１０に進む。
【０１４２】
特定の情報に対して冗長性を持たせる場合には（ステップＳ８０４）、情報処理装置（ＡＰ）１００の制御部１５０は、周波数チャネルのチャネルリソースに対して冗長性を持たせるか否かを判断する（ステップＳ８０５）。
【０１４３】
周波数チャネルのチャネルリソースに冗長性を持たせる場合には（ステップＳ８０５）、情報処理装置（ＡＰ）１００の制御部１５０は、冗長性を持たせる情報を送信するためのチャネルリソースとは異なる周波数チャネルのチャネルリソースにその情報（元情報）と同一の情報を割り当てる（ステップＳ８０６）。
【０１４４】
周波数チャネルのチャネルリソースに対して冗長性を持たせない場合には（ステップＳ８０５）、情報処理装置（ＡＰ）１００の制御部１５０は、空間チャネルのチャネルリソースに対して冗長性を持たせるか否かを判断する（ステップＳ８０７）。
【０１４５】
空間チャネルのチャネルリソースに冗長性を持たせる場合には（ステップＳ８０７）、情報処理装置（ＡＰ）１００の制御部１５０は、冗長性を持たせる情報を送信するためのチャネルリソースとは異なる空間チャネルのチャネルリソースにその情報（元情報）と同一の情報を割り当てる（ステップＳ８０８）。
【０１４６】
空間チャネルのチャネルリソースに冗長性を持たせない場合には（ステップＳ８０７）、情報処理装置（ＡＰ）１００の制御部１５０は、周波数チャネルおよび空間チャネルのチャネルリソースを考慮せずに、冗長性を持たせる情報を送信するためのチャネルリソースとは異なる他のチャネルリソースに、その情報（元情報）と同一の情報を割り当てる（ステップＳ８０９）。
【０１４７】
続いて、情報処理装置（ＡＰ）１００の制御部１５０は、各情報処理装置（ＳＴＡ）に要求する情報（要求情報）の割り当てが、最大チャネルリソース数以内であるか否かを判断する（ステップＳ８１０）。各情報処理装置（ＳＴＡ）に要求する情報の割り当てが、最大チャネルリソース数を超えている場合には（ステップＳ８１０）、情報処理装置（ＡＰ）１００の制御部１５０は、各情報処理装置（ＳＴＡ）に要求する情報の割り当てを調整する（ステップＳ８１１）。そして、ステップＳ８１２に進む。例えば、情報処理装置（ＡＰ）１００の制御部１５０は、各情報処理装置（ＳＴＡ）へのチャネルリソースの割り当てと、要求情報の割り当てとが、最大チャネルリソース数以内となるように調整する（ステップＳ８１１）。
【０１４８】
各情報処理装置（ＳＴＡ）に要求する情報の割り当てが、最大チャネルリソース数以内である場合には（ステップＳ８１０）、情報処理装置（ＡＰ）１００の制御部１５０は、所定情報を各情報処理装置（ＳＴＡ）に通知する（ステップＳ８１２）。所定情報は、例えば、チャネルリソースの割り当てと、要求情報と、情報の割り当てとを含む情報である。また、所定情報は、例えば、複数の情報処理装置が受信できる方法（例えば、ＯＦＤＭＡ、ＭＵ−ＭＩＭＯ、Ｍｕｌｔｉｃａｓｔ、Ｂｒｏａｄｃａｓｔ）で通知される。
【０１４９】
［情報処理装置（ＳＴＡ）の動作例］
図１４は、本技術の第１の実施の形態における情報処理装置（ＳＴＡ１）２０１によるデータ受信処理の処理手順の一例を示すフローチャートである。なお、他の情報処理装置（ＳＴＡ）の動作についても同様である。
【０１５０】
情報処理装置（ＳＴＡ１）２０１の制御部（図２に示す制御部１５０に相当）は、自装置のチャネルリソースの割り当てと、要求情報と、情報の割り当てとを、情報処理装置（ＡＰ）１００から受信したか否かを判断する（ステップＳ８２１）。これらの情報を受信していない場合には、監視を継続して行う。
【０１５１】
これらの各情報を情報処理装置（ＡＰ）１００から受信した場合には（ステップＳ８２１）、情報処理装置（ＳＴＡ１）２０１の制御部は、その情報に基づいて、要求された情報を送信する（ステップＳ８２２）。すなわち、情報処理装置（ＳＴＡ１）２０１の制御部は、情報処理装置（ＡＰ）１００により自装置に割り当てられたチャネルリソースを用いて、要求情報により要求された情報を、情報の割り当てに従って送信する（ステップＳ８２２）。
【０１５２】
このように、情報処理装置（ＳＴＡ１）２０１は、複数のチャネルリソースが情報処理装置（ＳＴＡ１）２０１に割り当てられた旨の通知を受信する。そして、情報処理装置（ＳＴＡ１）２０１の制御部は、その旨を受信した場合に、所定情報を情報処理装置（ＡＰ）１００に通知するための複数の信号を、その割り当てられた複数のチャネルリソースを用いて、情報処理装置（ＡＰ）１００に送信する制御を行う。この場合に、情報処理装置（ＳＴＡ１）２０１の制御部は、簡素化されたフレームフォーマット（例えば、図４のｂに示す）による信号を、その割り当てられた複数のチャネルリソースを用いて送信する制御を行う。また、所定情報は、例えば、情報処理装置（ＡＰ）１００により要求された情報（例えば、ＰＥＲ、ＲＳＳＩ）である。
【０１５３】
このように、情報処理装置（ＡＰ）１００は、複数のチャネルリソースを複数の情報処理装置（ＳＴＡ）に割り当て、その割り当てを複数の情報処理装置（ＳＴＡ）に通知する。また、情報処理装置（ＳＴＡ）は、その通知を受信した場合に、所定情報（例えば、ＰＥＲ、ＲＳＳＩ）を情報処理装置（ＡＰ）１００に通知するための複数の信号を、その割り当てられた複数のチャネルリソースを用いて情報処理装置（ＡＰ）１００に送信する。
【０１５４】
＜２．第２の実施の形態＞
本技術の第２の実施の形態では、２つ以上の情報処理装置（ＳＴＡ）に対して、同一のチャネルリソースを割り当て通知する例を示す。
【０１５５】
なお、本技術の第２の実施の形態における各装置の構成については、図１、図２等に示す情報処理装置（ＡＰ）１００、情報処理装置（ＳＴＡ１）２０１乃至（ＳＴＡ３）２０３と略同一である。このため、本技術の第１の実施の形態と共通する部分については、本技術の第１の実施の形態と同一の符号を付してこれらの説明の一部を省略する。
【０１５６】
また、本技術の第１の実施の形態と同様に、ＭＵリソースビットマップは、最大でＲ１−１乃至ＲＭ−Ｎの合計Ｍ×Ｎのチャネルリソースが存在する例を示す。ただし、以下では、説明の容易ため、Ｍ＝９、Ｎ＝４とし、合計３６のチャネルリソースが存在する場合の例を示す。
【０１５７】
また、本技術の第２の実施の形態では、３６のチャネルリソースを単一の情報処理装置（ＳＴＡ）に割り当て、かつ、他の情報処理装置（ＳＴＡ）に対しても同様に割り当てる場合の例を示す。
【０１５８】
［各情報処理装置（ＳＴＡ）に対して同一の３６のチャネルリソースを割り当て通知する例］
図１５は、本技術の第２の実施の形態における情報処理装置（ＡＰ）１００によるＭＵリソースビットマップの割り当て通知と、情報処理装置（ＳＴＡ１）２０１乃至（ＳＴＡ３）２０３による情報送信との例を示すシーケンス図である。
【０１５９】
図１５には、情報処理装置（ＡＰ）１００がＭＵリソースビットマップを情報処理装置（ＳＴＡ１）２０１乃至（ＳＴＡ３）２０３に対して割り当てる例を示す。また、図１５では、情報処理装置（ＳＴＡ１）２０１乃至（ＳＴＡ３）２０３は、その割り当てに従って情報を送信する例を示す。また、図１５では、３台の情報処理装置（ＳＴＡ１）２０１乃至（ＳＴＡ３）２０３のそれぞれに対して３６のチャネルリソースを割り当てる例を示す。また、チャネルリソースの割り当ては、３台の情報処理装置（ＳＴＡ１）２０１乃至（ＳＴＡ３）２０３によって構成されるグループに対して割り当ててもよい。
【０１６０】
なお、トリガフレーム４５１、フレーム４５２、情報４５３乃至４５８については、図５に示すトリガフレーム４０１、フレーム４０２、情報４０３乃至４１１に対応するものであるため、ここでの説明を省略する。
【０１６１】
［ＳＴＡ送信内容とＡＰ受信内容とＮＡＣＫ送信数との関係例］
図１６は、本技術の第２の実施の形態における各情報処理装置（ＳＴＡ）による送信内容と、情報処理装置（ＡＰ）１００による受信内容と、各情報処理装置（ＳＴＡ）によるＮＡＣＫ送信数との関係例を示す図である。すなわち、図１６には、ＭＵリソースビットマップを用いたＮＡＣＫ（Negative ACKnowledgement）ベースのシステムの動作結果例を示す。
【０１６２】
ここで、情報処理装置（ＡＰ）１００が、チャネルリソース割り当てに基づいて各情報処理装置（ＳＴＡ）から送信される情報（信号）を受信する場合を考える。例えば、１つのチャネルリソースについて１ビットの情報が格納されている場合を想定すると、３台の情報処理装置（ＳＴＡ１）２０１乃至（ＳＴＡ３）２０３のうち、少なくとも１台の情報処理装置（ＳＴＡ１）２０１乃至（ＳＴＡ３）２０３が１を送信したときに、情報処理装置（ＡＰ）１００では１として観測される。すなわち、受信結果は論理和として機能する。
【０１６３】
この動作を用いると、ＮＡＣＫベースのシステムにおいて、例えば、マルチキャストに対するＮＡＣＫによって構成されるＢｌｏｃｋ  Ａｃｋ  Ｂｉｔｍａｐを、ＭＵリソースビットマップに格納して送信させることができる。これにより、情報処理装置（ＡＰ）１００は、少なくとも１台の情報処理装置（ＳＴＡ）に受信されず、再送すべきデータフレームを判定することができる。
【０１６４】
例えば、情報処理装置（ＡＰ）１００から各情報処理装置（ＳＴＡ）に対して、マルチキャストパケット（シーケンス番号：０乃至３５）を送信する場合を想定する。この場合には、各情報処理装置（ＳＴＡ）が、その受信結果をＭＵリソースビットマップに格納して送信することができる。例えば、チャネルリソースＲ１−１には、シーケンス番号０を対応付け、チャネルリソースＲ１−２には、シーケンス番号２を対応付ける。他のチャネルリソースおよびシーケンス番号についても同様に順次対応付ける。
【０１６５】
ここで、チャネルリソースＲ１−１に対応付けるシーケンス番号（Starting Sequence Number）は、各情報のやりとりにより情報処理装置（ＡＰ）１００から各情報処理装置（ＳＴＡ）に事前に伝えることができる。
【０１６６】
図１６には、情報処理装置（ＳＴＡ１）２０１乃至情報処理装置（ＳＴＡ３）２０３の送信結果および情報処理装置（ＡＰ）１００側での受信結果の一例を示す。
【０１６７】
ここで、ＮＡＣＫベースのシステムにおいて、情報処理装置（ＡＰ）１００の受信結果において１となっているチャネルリソースに対応するシーケンス番号のパケットは、少なくとも１台の情報処理装置（ＳＴＡ）において受信されていないと判断することができる。このため、その受信結果において１となっているチャネルリソースに対応するシーケンス番号のパケットは、再送すべきパケットであると判断することができる。しかしながら、その受信結果は、論理和であるため、実際には何台の情報処理装置（ＳＴＡ）によって受信されたかを把握することができない。
【０１６８】
例えば、図１６では、３台の情報処理装置（ＳＴＡ１）２０１乃至（ＳＴＡ３）２０３のうち、情報処理装置（ＳＴＡ３）２０３の受信特性が他の情報処理装置（ＳＴＡ１）２０１、（ＳＴＡ２）２０２の受信特性と比べて悪い場合を想定する。この場合には、情報処理装置（ＡＰ）１００での受信結果で多くの１が立つことになる。特に、図１６に示すように、チャネルリソースＲ１−４、Ｒ９−３が、ＮＡＣＫを送信した情報処理装置（ＳＴＡ）の数が多く、他のチャネルリソースに対応するパケットよりも再送すべき優先度が高いと考えることができる。
【０１６９】
そこで、以下では、情報処理装置（ＡＰ）１００が、ＮＡＣＫの受信電力を確認する例を示す。
【０１７０】
例えば、各情報処理装置（ＳＴＡ）が送信した信号の情報処理装置（ＡＰ）１００における受信電力が同一の場合には、受信電力は、情報処理装置（ＳＴＡ）の数に対して比例する。そこで、各情報処理装置（ＳＴＡ）が送信した信号の情報処理装置（ＡＰ）１００における受信電力が同一の場合には、受信電力を確認することにより、情報処理装置（ＡＰ）１００は、ＮＡＣＫを送信した情報処理装置（ＳＴＡ）の数を予測することができる。これにより、情報処理装置（ＡＰ）１００は、再送の優先度を判断することができる。
【０１７１】
ここで、例えば、情報処理装置（ＡＰ）１００に対して近い位置に存在する１台の情報処理装置（ＳＴＡ）のみがＮＡＣＫを送信すると、受信電力の絶対値が他と比較して大きくなることが想定される。通常、近い位置に存在する情報処理装置（ＳＴＡ）が受信に失敗する場合は、偶発的なパケットの衝突が理由であることが想定される。この場合には、近い位置に存在する情報処理装置（ＳＴＡ）への再送によって回復される期待値が高く、再送の優先度が高いと判断することができる。
【０１７２】
一方、遠くに存在する情報処理装置（ＳＴＡ）の受信失敗は、信号電力不足によるＳＮＲ劣化であると予想される。このため、遠くに存在する情報処理装置（ＳＴＡ）に再送しても回復する可能性が低いことが想定されるため、再送の優先度が低いと判断することができる。このように判断された再送の優先度に基づいて再送を制御することができる。
【０１７３】
また、情報処理装置（ＳＴＡ）の遠近に応じて、情報処理装置（ＳＴＡ）間において情報処理装置（ＡＰ）１００における受信電力が異なる場合を想定する。この場合には、事前のトレーニングによりキャリブレーションを行った後に、情報処理装置（ＡＰ）１００における受信電力の大小を判定するようにしてもよい。
【０１７４】
また、情報処理装置（ＡＰ）１００が、ＮＡＣＫの閾値（例えば、ＮＡＣＫの送信回数）を通知し、特性の悪い情報処理装置（ＳＴＡ）がその通知された閾値よりも多くのＮＡＣＫを送信することを抑制するようにしてもよい。これにより、特性の悪い情報処理装置（ＳＴＡ）によって多くのＮＡＣＫが送信されることにより、再送すべき優先度が高いパケットを判断し難くなることを防止することができる。このように、情報処理装置（ＡＰ）１００は、各情報処理装置（ＳＴＡ）に対して送信条件に関する情報（例えば、ＮＡＣＫの閾値）を通知することができる。この場合には、各情報処理装置（ＳＴＡ）は、その送信条件に関する情報（例えば、ＮＡＣＫの閾値）に基づいて、情報処理装置（ＡＰ）１００に情報（例えば、ＮＡＣＫ）を送信するか否かを判断することができる。すなわち、情報処理装置（ＡＰ）１００の制御部１５０は、各情報処理装置（ＳＴＡ）に対して送信条件に関する情報を通知し、各情報処理装置（ＳＴＡ）にその通知された情報に基づいて信号を送信させる制御を行うことができる。
【０１７５】
このように、情報処理装置（ＡＰ）１００の制御部１５０は、複数のチャネルリソースのうちの２以上の同一のチャネルリソースを、複数の情報処理装置（ＳＴＡ）のそれぞれに割り当てる制御を行うことができる。そして、情報処理装置（ＡＰ）１００の制御部１５０は、複数の情報処理装置（ＳＴＡ）へのマルチキャスト送信に対する受信結果を通知するための信号を、その同一のチャネルリソースを用いて送信させる制御を行うことができる。この場合に、情報処理装置（ＡＰ）１００の制御部１５０は、その同一のチャネルリソースを用いて送信された信号の受信電力に基づいて、その信号を送信した情報処理装置（ＳＴＡ）の数を判定することができる。また、情報処理装置（ＡＰ）１００の制御部１５０は、その同一のチャネルリソースを用いて送信された信号の受信電力に基づいて、マルチキャスト送信に対する再送の優先度を判定することができる。
【０１７６】
［情報処理装置（ＡＰ）の動作例］
図１７は、本技術の第２の実施の形態における情報処理装置（ＡＰ）１００によるデータ送信処理の処理手順の一例を示すフローチャートである。
【０１７７】
情報処理装置（ＡＰ）１００の制御部１５０は、自装置に接続されている各情報処理装置（ＳＴＡ）に、マルチキャストパケットを送信する（ステップＳ８３１）。続いて、情報処理装置（ＡＰ）１００の制御部１５０は、そのマルチキャストパケットの送達確認を要求するタイミングであるか否かを判断する（ステップＳ８３２）。送達確認を要求するタイミングでない場合には、監視を継続して行う。
【０１７８】
送達確認を要求するタイミングである場合には（ステップＳ８３２）、情報処理装置（ＡＰ）１００の制御部１５０は、ＭＵリソースビットマップによる送達確認の要求と、パケット番号のチャネルリソース割り当てとを各情報処理装置（ＳＴＡ）に通知する（ステップＳ８３３）。
【０１７９】
続いて、情報処理装置（ＡＰ）１００の制御部１５０は、ＭＵリソースビットマップによる送達確認を受信したか否かを判断する（ステップＳ８３４）。ＭＵリソースビットマップによる送達確認を受信しない場合には（ステップＳ８３４）、データ送信処理の動作を終了する。
【０１８０】
ＭＵリソースビットマップによる送達確認を受信した場合には（ステップＳ８３４）、情報処理装置（ＡＰ）１００の制御部１５０は、複数のチャネルリソースのうち、１つのチャネルリソースの受信電力が閾値よりも大きいか否かを判断する（ステップ８３５）。そのチャネルリソースの受信電力が閾値以下である場合には（ステップ８３５）、ステップＳ８３７に進む。
【０１８１】
そのチャネルリソースの受信電力が閾値よりも大きい場合には（ステップ８３５）、情報処理装置（ＡＰ）１００の制御部１５０は、そのチャネルリソースに対応するパケットを再送対象として決定する（ステップＳ８３６）。
【０１８２】
続いて、情報処理装置（ＡＰ）１００の制御部１５０は、複数のチャネルリソースのうち、閾値との比較をしていないチャネルリソースが存在するか否かを判断する（ステップＳ８３７）。閾値との比較をしていないチャネルリソースが存在する場合には（ステップＳ８３７）、情報処理装置（ＡＰ）１００の制御部１５０は、複数のチャネルリソースのうちから、閾値との比較をしていないチャネルリソースを比較対象として選択する。そして、情報処理装置（ＡＰ）１００の制御部１５０は、そのチャネルリソースの受信電力が閾値よりも大きいか否かを判断する（ステップ８３５）。
【０１８３】
閾値との比較をしていないチャネルリソースが存在しない場合には（ステップＳ８３７）、情報処理装置（ＡＰ）１００の制御部１５０は、再送対象として決定されたパケットを各情報処理装置（ＳＴＡ）に送信する（ステップＳ８３８）。すなわち、情報処理装置（ＡＰ）１００の制御部１５０は、再送対象として決定されたパケットを再送する（ステップＳ８３８）。
【０１８４】
［情報処理装置（ＳＴＡ）の動作例］
図１８は、本技術の第２の実施の形態における情報処理装置（ＳＴＡ１）２０１によるデータ受信処理の処理手順の一例を示すフローチャートである。なお、他の情報処理装置（ＳＴＡ）の動作についても同様である。
【０１８５】
情報処理装置（ＳＴＡ１）２０１の制御部は、情報処理装置（ＡＰ）１００からマルチキャストパケットを受信したか否かを判断する（ステップＳ８４１）。マルチキャストパケットを受信していない場合には、監視を継続して行う。
【０１８６】
情報処理装置（ＡＰ）１００からマルチキャストパケットを受信した場合には（ステップＳ８４１）、情報処理装置（ＳＴＡ１）２０１の制御部は、ＭＵリソースビットマップによる送達確認と、パケット番号のチャネルリソース割り当てとを、情報処理装置（ＡＰ）１００から受信したか否かを判断する（ステップＳ８４２）。これらの情報を受信していない場合には、監視を継続して行う。
【０１８７】
これらの各情報を情報処理装置（ＡＰ）１００から受信した場合には（ステップＳ８４２）、情報処理装置（ＳＴＡ１）２０１の制御部は、ＭＵリソースビットマップによる送達確認を送信する（ステップＳ８４３）。なお、情報処理装置（ＡＰ）１００から送信されたマルチキャストパケットの受信がすべて成功している場合には、ＭＵリソースビットマップによる送達確認を送信しない。
【０１８８】
続いて、情報処理装置（ＳＴＡ１）２０１の制御部は、情報処理装置（ＡＰ）１００から再送対象のパケットを受信する（ステップＳ８４４）。
【０１８９】
＜３．第３の実施の形態＞
本技術の第３の実施の形態では、チャネルリソースの他の割り当て例を示す。すなわち、複数のチャネルリソースのうち、一部を２つ以上の情報処理装置（ＳＴＡ）に対して同一に割り当て、他の一部を各情報処理装置（ＳＴＡ）に対して独立して割り当て通知する例を示す。
【０１９０】
なお、本技術の第３の実施の形態における各装置の構成については、図１、図２等に示す情報処理装置（ＡＰ）１００、情報処理装置（ＳＴＡ１）２０１乃至（ＳＴＡ３）２０３と略同一である。このため、本技術の第１の実施の形態と共通する部分については、本技術の第１の実施の形態と同一の符号を付してこれらの説明の一部を省略する。
【０１９１】
［チャネルリソースの割り当て例］
最初に、本技術の第１の実施の形態で示すチャネルリソースの割り当て方法と、本技術の第２の実施の形態で示すチャネルリソースの割り当て方法とを同時に行う例を示す。すなわち、本技術の第１の実施の形態で示す複数の情報処理装置（ＳＴＡ）から個別に情報を集める方法と、本技術の第２の実施の形態で示す論理和として各情報処理装置（ＳＴＡ）からビットマップの情報を集める方法とを同時に行う例を示す。
【０１９２】
図１９は、本技術の第３の実施の形態における情報処理装置（ＡＰ）１００によるチャネルリソースの割り当て例を示す図である。具体的には、図１９には、チャネルリソースのうち、その一部を２つ以上の情報処理装置（ＳＴＡ）に対して同一に割り当て、他の一部を各情報処理装置（ＳＴＡ）に対して独立して割り当て、通知する割り当て方法の一例を示す。
【０１９３】
図１９に示す割り当て方法により、一部のチャネルリソースを用いて各情報処理装置（ＳＴＡ）から個別に複数ビット分の情報を集め、他のチャネルリソースを用いて、論理和として各情報処理装置（ＳＴＡ）からビットマップの情報を集めることができる。
【０１９４】
具体的には、チャネルリソースＲ１−１乃至Ｒ１−４を用いて情報処理装置（ＳＴＡ１）から個別に複数ビット分の情報を集めることができる。同様に、チャネルリソースＲ２−１乃至Ｒ２−４を用いて情報処理装置（ＳＴＡ２）から個別に複数ビット分の情報を集め、チャネルリソースＲ３−１乃至Ｒ３−４を用いて情報処理装置（ＳＴＡ３）から個別に複数ビット分の情報を集めることができる。また、これらの各情報を集めるとともに、チャネルリソースＲ４−１乃至Ｒ９−４を用いて、論理和として各情報処理装置（ＳＴＡ１）２０１乃至（ＳＴＡ３）２０３からビットマップの情報を集めることができる。
【０１９５】
このように、情報処理装置（ＡＰ）１００の制御部１５０は、複数のチャネルリソースのうち、一部を２以上の情報処理装置（ＳＴＡ）に割り当て、他の一部を複数の情報処理装置（ＳＴＡ）に独立して割り当てる制御を行うことができる。
【０１９６】
［チャネルリソースの他の割り当て例］
次に、本技術の第１の実施の形態で示す割り当て方法では、情報処理装置（ＳＴＡ）に対するチャネルリソースの数が不足する場合に有効となる割り当て方法の例を示す。
【０１９７】
図２０は、本技術の第３の実施の形態における情報処理装置（ＡＰ）１００によるチャネルリソースの割り当て例を示す図である。図２０のａ乃至ｃには、チャネルリソースが情報処理装置（ＳＴＡ）の数に対して不足する場合に、一部の同一のチャネルリソースに対して異なる情報処理装置（ＳＴＡ）を割り当てる場合の割り当て例を示す。
【０１９８】
図２０に示す割り当て方法は、一部のチャネルリソースを用いて一部の情報処理装置（ＳＴＡ）から個別に複数ビット分の情報を集め、不足したチャネルリソースについては残りの情報処理装置（ＳＴＡ）で共用する方法である。
【０１９９】
具体的には、図２０のａ、ｂに示す例では、チャネルリソースＲ１−１乃至Ｒ８−１を用いて情報処理装置（ＳＴＡ１）乃至（ＳＴＡ８）から個別に複数ビット分の情報を集める。また、チャネルリソースＲ９−１乃至Ｒ９−４については、残りの情報処理装置（ＳＴＡ９）、（ＳＴＡ１０）で共用する。
【０２００】
このように、チャネルリソースＲ９−１乃至Ｒ９−４を共用する場合には、図２０のａに示すように、論理和的に情報を集めることができる。
【０２０１】
また、図２０のｂに示すように、共用のチャネルリソースＲ９−１乃至Ｒ９−４内を分割して、より荒い粒度で情報を送信させるようにしてもよい。
【０２０２】
また、図２０のｃに示すように、チャネルリソースＲ１−１乃至Ｒ６−４を、通常通り、情報処理装置（ＳＴＡ１）乃至（ＳＴＡ６）に割り当てる場合を想定する。この場合に、チャネルリソースＲ７−１乃至Ｒ９−４に対して、粒度を落として情報処理装置（ＳＴＡ７）乃至（ＳＴＡ１０）に割り当てるようにしてもよい。
【０２０３】
これらの割り当て方法については、通信環境に応じて、適宜変更するようにしてもよい。例えば、情報処理装置（ＡＰ）１００は、返信が基準よりも悪い情報処理装置（ＳＴＡ）を検出した場合には、その情報処理装置（ＳＴＡ）に対するチャネルリソースの割り当てを増やす等によりチャネルリソースを変更することができる。また、例えば、割り当て方法を変更して、その情報処理装置（ＳＴＡ）に対して割り当てるチャネルリソースを変更するようにしてもよい。
【０２０４】
＜４．第４の実施の形態＞
本技術の第４の実施の形態では、情報処理装置（ＡＰ）から情報処理装置（ＳＴＡ）に対してＭＵリソースビットマップを用いて情報を通知する例を示す。
【０２０５】
なお、本技術の第４の実施の形態における各装置の構成については、図１、図２等に示す情報処理装置（ＡＰ）１００、情報処理装置（ＳＴＡ１）２０１乃至（ＳＴＡ３）２０３と略同一である。このため、本技術の第１の実施の形態と共通する部分については、本技術の第１の実施の形態と同一の符号を付してこれらの説明の一部を省略する。
【０２０６】
本技術の第４の実施の形態では、本技術の第１乃至第３の実施の形態で用いた簡素化したフレームフォーマットを用いることができる。ただし、これに限定されず、他のフレームフォーマットを用いることができる。
【０２０７】
また、本技術の第１の実施の形態と同様に、ＭＵリソースビットマップは、最大でＲ１−１乃至ＲＭ−Ｎの合計Ｍ×Ｎのチャネルリソースが存在する例を示す。ただし、以下では、説明の容易ため、Ｍ＝９、Ｎ＝４とし、合計３６のチャネルリソースが存在する場合の例を示す。
【０２０８】
例えば、情報処理装置（ＡＰ）１００から情報処理装置（ＳＴＡ）に対してＭＵリソースビットマップを用いて通知する情報（通知情報）は、一般的なビットマップで送信されていたものと同一の情報とすることができる。例えば、ビーコンフレーム内のＴＩＭ（Traffic Indication Map）エレメント内のＰＶＢ（Partial Virtual Bitmap）フィールドを通知情報とすることができる。
【０２０９】
ここで、無線ＬＡＮの標準機関ＩＥＥＥ８０２．１１において、情報処理装置が通信をする必要がないときに、通常の動作をするＡｗａｋｅ状態から信号の送受信を行わない省電力状態（Ｄｏｚｅ状態）に移行することにより、消費電力を低減する技術が提案されている。この技術では、省電力状態にある子機は、一定間隔でＡｗａｋｅ状態となり、基地局に自装置宛のデータがバッファされているか否かを基地局からの信号（ＴＩＭ）で確認する。このように、省電力状態にあり、パケットを受信することができない子機が存在する場合に、基地局側でパケットをバッファしていることを定期的に通知する必要がある。この通知するためのフィールドとして、ＰＶＢが用いられる。以下では、通知するビットマップとしてＰＶＢを用いる例を示す。
【０２１０】
［ビーコンのフレームフォーマット例］
図２１は、本技術の第４の実施の形態における通信システム１０を構成する機器間でやりとりされるビーコンのフレームフォーマットの一例を示す図である。このビーコンは、図２２に示す例において使用される。
【０２１１】
図２１には、ＩＥＥＥ  Ｓｔｄ．８０２．１１  ２０１２およびＩＥＥＥ  Ｓｔｄ．８０２．１１ａｃ  ２０１３で定義されるビーコンのフレームフォーマットの一部を変形した例を示す。具体的には、そのビーコンのフレームフォーマットを元に、ＰＶＢ（Partial Virtual Bitmap）を多重化し、チャネルリソース方向にビットマップを構成する例を示す。
【０２１２】
図２１に示すビーコンは、ＰＬＣＰ（Physical. Layer Convergence Protocol）ヘッダ５０１と、ＭＡＣ（Media Access Control）ヘッダ５０２と、Ｐａｙｌｏａｄ５０３と、ＦＣＳ（Frame Check Sequence）５０４とにより構成される。Ｐａｙｌｏａｄ５０３には、ＴＩＭ（Traffic Indication Map）５２０が配置される。
【０２１３】
ＴＩＭ５２０は、ＥＬＥＭＥＮＴ  ＩＤ５２１と、Ｌｅｎｇｔｈ５２２と、ＤＴＩＭ  Ｃｏｕｎｔ５２３と、ＤＴＩＭ  Ｐｅｒｉｏｄ５２４と、Ｂｉｔｍａｐ  Ｃｏｎｔｒｏｌ５２５と、ＭＵ  Ｂｉｔｍａｐ  Ｃｏｎｔｒｏｌ５２６と、ＭＵ−Ｐａｒｔｉａｌ  Ｖｉｒｔｕａｌ  Ｂｉｔｍａｐ［０］５３０乃至ＭＵ−Ｐａｒｔｉａｌ  Ｖｉｒｔｕａｌ  Ｂｉｔｍａｐ［ｎ］５３３とにより構成される。
【０２１４】
このように、図２１に示す例では、新たなフィールド（ＭＵ  Ｂｉｔｍａｐ  Ｃｏｎｔｒｏｌ５２６）を用意する。そして、その新たなフィールド（ＭＵ  Ｂｉｔｍａｐ  Ｃｏｎｔｒｏｌ５２６）において、これ以降のＰＶＢが、チャネルリソース方向に多重化して構成されているビットマップを用いたＭＵ−ＰＶＢであることを通知する。なお、その新たなフィールド（ＭＵ  Ｂｉｔｍａｐ  Ｃｏｎｔｒｏｌ５２６）を配置する位置については、図２１に示す位置に限定されない。
【０２１５】
また、図２１に示す例において、縦方向への矩形（ＭＵ−Ｐａｒｔｉａｌ  Ｖｉｒｔｕａｌ  Ｂｉｔｍａｐ［０］５３０乃至ＭＵ−Ｐａｒｔｉａｌ  Ｖｉｒｔｕａｌ  Ｂｉｔｍａｐ［ｎ］５３３）の重なりは、多重化であることを意味する。
【０２１６】
ＥＬＥＭＥＮＴ  ＩＤ５２１には、トリガ多重送信を行う旨を通知するＩＥであることを示すＩＤが格納される。
【０２１７】
Ｌｅｎｇｔｈ５２２には、ＴＩＭ５２０のフレームのデータの長さを示す情報が格納される。
【０２１８】
ＤＴＩＭ  Ｃｏｕｎｔ５２３には、次のビーコンまでのビーコン数を示す情報が格納される。
【０２１９】
ＤＴＩＭ  Ｐｅｒｉｏｄ５２４には、基地局（情報処理装置（ＡＰ）１００）にバッファされているデータを送信するタイミングを設定するための値を示す情報が格納される。
【０２２０】
Ｂｉｔｍａｐ  Ｃｏｎｔｒｏｌ５２５には、次のフィールドに関する情報が格納される。
【０２２１】
ＭＵ  Ｂｉｔｍａｐ  Ｃｏｎｔｒｏｌ５２６には、これ以降のフィールドが、チャネルリソース方向に多重化して構成されているビットマップを用いたＭＵ−ＰＶＢであることを示す情報が格納される。
【０２２２】
ＭＵ−Ｐａｒｔｉａｌ  Ｖｉｒｔｕａｌ  Ｂｉｔｍａｐ［０］５３０乃至ＭＵ−Ｐａｒｔｉａｌ  Ｖｉｒｔｕａｌ  Ｂｉｔｍａｐ［ｎ］５３３には、ＰＶＢに相当する情報が格納される。この情報は、例えば、１ビットとすることができる。
【０２２３】
ここで、情報処理装置（ＡＰ）１００において保持されているデータの宛先（情報処理装置（ＳＴＡ））の数が最大のＭＵチャネルリソースを超えることも想定される。この場合には、ＭＵ−ＰＶＢを２つ以上に分けて連結させ、その旨をＭＵ  Ｂｉｔｍａｐ  Ｃｏｎｔｒｏｌ５２６で通知するようにしてもよい。
【０２２４】
［ＭＵリソースビットマップを用いたＰＶＢ（ＭＵ−ＰＶＢ）の通知例］
図２２乃至図２４は、本技術の第４の実施の形態における情報処理装置（ＡＰ）１００がＭＵリソースビットマップを用いてＰＶＢを情報処理装置（ＳＴＡ）に通知する例を示す図である。なお、本技術の第４の実施の形態では、ＭＵリソースビットマップを用いたＰＶＢをＭＵ−ＰＶＢと称して説明する。
【０２２５】
図２１に示すように、ＭＵ−ＰＶＢは、ビーコンフレーム内において通知される。ここで、通常、ビーコンは、周波数チャネルまたは空間チャネルの一部のみを用いて通知される。
【０２２６】
そこで、図２１に示すビーコンを用いて、ＭＵ−ＰＶＢの部分を除くビーコン（ＴＩＭを含む）については、一部のチャネルを用いて送信する。また、ＭＵ−ＰＶＢの部分については、多重化して送信する。この例を図２２に示す。
【０２２７】
図２２では、ＭＵ−ＰＶＢ４６２の部分以外のビーコン４６１については、チャネルリソースＲ９−４を用いて送信し、ＭＵ−ＰＶＢ４６２については、チャネルリソースＲ１−１乃至Ｒ９−４を用いて送信する例を示す。
【０２２８】
なお、図２２では、説明の容易のため、ビーコン４６１の送信後に、ＭＵ−ＰＶＢ４６２を送信する例を示すが、送信順序は、これに限定されない。
【０２２９】
また、ＭＵ−ＰＶＢ以外の部分において、この後、ＭＵ−ＰＶＢに用いられるチャネルリソースがどの情報処理装置（ＳＴＡ）に対して割り当てられているかを通知するようにしてもよい。
【０２３０】
図２３には、ＭＵ−ＰＶＢ４７２以外のビーコン４７１（ＴＩＭを含む）を、全てのチャネルリソースを用いて送信する例を示す。この場合には、全てのチャネルリソースを用いてビーコン４７１を送信するため、ビーコン４７１の送信時間を短くすることができる。
【０２３１】
図２４には、小さい情報量（例えば、１ｂｉｔ）のみで表されるＭＵ−ＰＶＢ４８２を含むビーコン４８１自体を各チャネルリソースに分けて送信する例を示す。
【０２３２】
このように、情報処理装置（ＡＰ）１００の制御部１５０は、複数のチャネルリソースを用いて複数の情報処理装置（ＳＴＡ）に複数の信号を送信するための制御を行うことができる。すなわち、情報処理装置（ＡＰ）１００の制御部１５０は、その複数の信号を送信することにより複数の信号により構成される１以上の情報（例えば、ビットマップ情報）を複数の情報処理装置（ＳＴＡ）に通知する制御を行うことができる。例えば、情報処理装置（ＡＰ）１００の制御部１５０は、その１以上の情報（例えば、ＭＵ−ＰＶＢ）を用いて、情報処理装置（ＡＰ）１００にデータが蓄積されている情報処理装置（ＳＴＡ）に関する情報を通知することができる。その複数の信号は、例えば、ビーコンの一部、または、連結または個別のフレームとして送信することができる。
【０２３３】
ここで、ＯＦＤＭＡおよびＭＩＭＯによる多重化を両方同時使用可能な機器において、取り扱うことが可能な最大チャネルリソース数は、それぞれのチャネルリソース数の積である。また、一般的なフレームフォーマットを簡素化し、例えば、ヘッダのみで構成され、非常に小さい情報量（例えば、１ｂｉｔ）のみが格納可能なフレームを構成し得る。これらの組合せにより、小さいオーバーヘッドで小さい情報量を複数の機器と通信することが可能になる。また、一種のマルチユーザ（ＭＵ）チャネルリソースビットマップを効率的に用いることができる。これにより、小さいオーバーヘッドで、複数の情報処理装置（ＳＴＡ）から簡略的に送達確認や情報収集を行うことができる。
【０２３４】
このように、小さいオーバーヘッドで、複数の情報処理装置（ＳＴＡ）から簡略的に送達確認や受信状況に関する情報を集めることができるようになり、Ｍｕｌｔｉｃａｓｔの通信品質を向上させることができる。言い換えると、Ｍｕｌｔｉｃａｓｔの送達確認によるオーバーヘッドを削減することができ、受信状況に関する情報の送信によるオーバーヘッドを削減することができる。これにより、無線通信を高速化することができ、通信品質を向上させることができる。
【０２３５】
また、冗長信号を付加することにより、ロバスト性を向上させることができ、リスクを分散させることができる。
【０２３６】
このように、本技術の実施の形態によれば、ＭＵリソースビットマップを用いたシグナリングを実現することができる。また、オーバーヘッドを低減させ、通信品質を高めることにより、無線通信を適切に行うことができる。
【０２３７】
＜５．応用例＞
本開示に係る技術は、様々な製品へ応用可能である。例えば、情報処理装置（ＡＰ）１００、情報処理装置（ＳＴＡ）は、スマートフォン、タブレットＰＣ（Personal  Computer）、ノートＰＣ、携帯型ゲーム端末若しくはデジタルカメラなどのモバイル端末、テレビジョン受像機、プリンタ、デジタルスキャナ若しくはネットワークストレージなどの固定端末、又はカーナビゲーション装置などの車載端末として実現されてもよい。また、情報処理装置（ＡＰ）１００、情報処理装置（ＳＴＡ）は、スマートメータ、自動販売機、遠隔監視装置又はＰＯＳ（Point  Of  Sale）端末などの、Ｍ２Ｍ（Machine  To  Machine）通信を行う端末（ＭＴＣ（Machine  Type  Communication）端末ともいう）として実現されてもよい。さらに、情報処理装置（ＡＰ）１００、情報処理装置（ＳＴＡ）は、これら端末に搭載される無線通信モジュール（例えば、１つのダイで構成される集積回路モジュール）であってもよい。
【０２３８】
一方、例えば、情報処理装置（ＡＰ）１００は、ルータ機能を有し又はルータ機能を有しない無線ＬＡＮアクセスポイント（無線基地局ともいう）として実現されてもよい。また、情報処理装置（ＡＰ）１００は、モバイル無線ＬＡＮルータとして実現されてもよい。さらに、情報処理装置（ＡＰ）１００は、これら装置に搭載される無線通信モジュール（例えば、１つのダイで構成される集積回路モジュール）であってもよい。
【０２３９】
［５−１．第１の応用例］
図２５は、本開示に係る技術が適用され得るスマートフォン９００の概略的な構成の一例を示すブロック図である。スマートフォン９００は、プロセッサ９０１、メモリ９０２、ストレージ９０３、外部接続インターフェース９０４、カメラ９０６、センサ９０７、マイクロフォン９０８、入力デバイス９０９、表示デバイス９１０、スピーカ９１１、無線通信インターフェース９１３、アンテナスイッチ９１４、アンテナ９１５、バス９１７、バッテリー９１８及び補助コントローラ９１９を備える。
【０２４０】
プロセッサ９０１は、例えばＣＰＵ（Central  Processing  Unit）又はＳｏＣ（System  on  Chip）であってよく、スマートフォン９００のアプリケーションレイヤ及びその他のレイヤの機能を制御する。メモリ９０２は、ＲＡＭ（Random  Access  Memory）及びＲＯＭ（Read  Only  Memory）を含み、プロセッサ９０１により実行されるプログラム及びデータを記憶する。ストレージ９０３は、半導体メモリ又はハードディスクなどの記憶媒体を含み得る。外部接続インターフェース９０４は、メモリカード又はＵＳＢ（Universal  Serial  Bus）デバイスなどの外付けデバイスをスマートフォン９００へ接続するためのインターフェースである。
【０２４１】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０２４２】
無線通信インターフェース９１３は、ＩＥＥＥ８０２．１１ａ、１１ｂ、１１ｇ、１１ｎ、１１ａｃ及び１１ａｄなどの無線ＬＡＮ標準のうちの１つ以上をサポートし、無線通信を実行する。無線通信インターフェース９１３は、インフラストラクチャーモードにおいては、他の装置と無線ＬＡＮアクセスポイントを介して通信し得る。また、無線通信インターフェース９１３は、アドホックモード又はＷｉ−Ｆｉ Ｄｉｒｅｃｔ等のダイレクト通信モードにおいては、他の装置と直接的に通信し得る。なお、Ｗｉ−Ｆｉ  Ｄｉｒｅｃｔでは、アドホックモードとは異なり２つの端末の一方がアクセスポイントとして動作するが、通信はそれら端末間で直接的に行われる。無線通信インターフェース９１３は、典型的には、ベースバンドプロセッサ、ＲＦ（Radio  Frequency）回路及びパワーアンプなどを含み得る。無線通信インターフェース９１３は、通信制御プログラムを記憶するメモリ、当該プログラムを実行するプロセッサ及び関連する回路を集積したワンチップのモジュールであってもよい。無線通信インターフェース９１３は、無線ＬＡＮ方式に加えて、近距離無線通信方式、近接無線通信方式又はセルラ通信方式などの他の種類の無線通信方式をサポートしてもよい。アンテナスイッチ９１４は、無線通信インターフェース９１３に含まれる複数の回路（例えば、異なる無線通信方式のための回路）の間でアンテナ９１５の接続先を切り替える。アンテナ９１５は、単一の又は複数のアンテナ素子（例えば、ＭＩＭＯアンテナを構成する複数のアンテナ素子）を有し、無線通信インターフェース９１３による無線信号の送信及び受信のために使用される。
【０２４３】
なお、図２５の例に限定されず、スマートフォン９００は、複数のアンテナ（例えば、無線ＬＡＮ用のアンテナ及び近接無線通信方式用のアンテナ、など）を備えてもよい。その場合に、アンテナスイッチ９１４は、スマートフォン９００の構成から省略されてもよい。
【０２４４】
バス９１７は、プロセッサ９０１、メモリ９０２、ストレージ９０３、外部接続インターフェース９０４、カメラ９０６、センサ９０７、マイクロフォン９０８、入力デバイス９０９、表示デバイス９１０、スピーカ９１１、無線通信インターフェース９１３及び補助コントローラ９１９を互いに接続する。バッテリー９１８は、図中に破線で部分的に示した給電ラインを介して、図２５に示したスマートフォン９００の各ブロックへ電力を供給する。補助コントローラ９１９は、例えば、スリープモードにおいて、スマートフォン９００の必要最低限の機能を動作させる。
【０２４５】
図２５に示したスマートフォン９００において、図２を用いて説明した制御部１５０は、無線通信インターフェース９１３において実装されてもよい。また、これら機能の少なくとも一部は、プロセッサ９０１又は補助コントローラ９１９において実装されてもよい。例えば、複数のチャネルリソースを複数の機器に割り当て、その複数のチャネルリソースを用いて送信された信号（簡素化された信号）を受信することにより、バッテリー９１８の電力消費を低減することができる。
【０２４６】
なお、スマートフォン９００は、プロセッサ９０１がアプリケーションレベルでアクセスポイント機能を実行することにより、無線アクセスポイント（ソフトウェアＡＰ）として動作してもよい。また、無線通信インターフェース９１３が無線アクセスポイント機能を有していてもよい。
【０２４７】
［５−２．第２の応用例］
図２６は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインターフェース９２６、コンテンツプレーヤ９２７、記憶媒体インターフェース９２８、入力デバイス９２９、表示デバイス９３０、スピーカ９３１、無線通信インターフェース９３３、アンテナスイッチ９３４、アンテナ９３５及びバッテリー９３８を備える。
【０２４８】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０２４９】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインターフェース９２６は、例えば、図示しない端子を介して車載ネットワーク９４１に接続され、車速データなどの車両側で生成されるデータを取得する。
【０２５０】
コンテンツプレーヤ９２７は、記憶媒体インターフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０２５１】
無線通信インターフェース９３３は、ＩＥＥＥ８０２．１１ａ、１１ｂ、１１ｇ、１１ｎ、１１ａｃ及び１１ａｄなどの無線ＬＡＮ標準のうちの１つ以上をサポートし、無線通信を実行する。無線通信インターフェース９３３は、インフラストラクチャーモードにおいては、他の装置と無線ＬＡＮアクセスポイントを介して通信し得る。また、無線通信インターフェース９３３は、アドホックモード又はＷｉ−Ｆｉ Ｄｉｒｅｃｔ等のダイレクト通信モードにおいては、他の装置と直接的に通信し得る。無線通信インターフェース９３３は、典型的には、ベースバンドプロセッサ、ＲＦ回路及びパワーアンプなどを含み得る。無線通信インターフェース９３３は、通信制御プログラムを記憶するメモリ、当該プログラムを実行するプロセッサ及び関連する回路を集積したワンチップのモジュールであってもよい。無線通信インターフェース９３３は、無線ＬＡＮ方式に加えて、近距離無線通信方式、近接無線通信方式又はセルラ通信方式などの他の種類の無線通信方式をサポートしてもよい。アンテナスイッチ９３４は、無線通信インターフェース９３３に含まれる複数の回路の間でアンテナ９３５の接続先を切り替える。アンテナ９３５は、単一の又は複数のアンテナ素子を有し、無線通信インターフェース９３３による無線信号の送信及び受信のために使用される。
【０２５２】
なお、図２６の例に限定されず、カーナビゲーション装置９２０は、複数のアンテナを備えてもよい。その場合に、アンテナスイッチ９３４は、カーナビゲーション装置９２０の構成から省略されてもよい。
【０２５３】
バッテリー９３８は、図中に破線で部分的に示した給電ラインを介して、図２６に示したカーナビゲーション装置９２０の各ブロックへ電力を供給する。また、バッテリー９３８は、車両側から給電される電力を蓄積する。
【０２５４】
図２６に示したカーナビゲーション装置９２０において、図２を用いて説明した制御部１５０は、無線通信インターフェース９３３において実装されてもよい。また、これら機能の少なくとも一部は、プロセッサ９２１において実装されてもよい。
【０２５５】
また、無線通信インターフェース９３３は、上述した情報処理装置（ＡＰ）１００として動作し、車両に乗るユーザが有する端末に無線接続を提供してもよい。
【０２５６】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。車両側モジュール９４２は、車速、エンジン回転数又は故障情報などの車両側データを生成し、生成したデータを車載ネットワーク９４１へ出力する。
【０２５７】
［５−３．第３の応用例］
図２７は、本開示に係る技術が適用され得る無線アクセスポイント９５０の概略的な構成の一例を示すブロック図である。無線アクセスポイント９５０は、コントローラ９５１、メモリ９５２、入力デバイス９５４、表示デバイス９５５、ネットワークインターフェース９５７、無線通信インターフェース９６３、アンテナスイッチ９６４及びアンテナ９６５を備える。
【０２５８】
コントローラ９５１は、例えばＣＰＵ又はＤＳＰ（Digital  Signal  Processor）であってよく、無線アクセスポイント９５０のＩＰ（Internet  Protocol）レイヤ及びより上位のレイヤの様々な機能（例えば、アクセス制限、ルーティング、暗号化、ファイアウォール及びログ管理など）を動作させる。メモリ９５２は、ＲＡＭ及びＲＯＭを含み、コントローラ９５１により実行されるプログラム、及び様々な制御データ（例えば、端末リスト、ルーティングテーブル、暗号鍵、セキュリティ設定及びログなど）を記憶する。
【０２５９】
入力デバイス９５４は、例えば、ボタン又はスイッチなどを含み、ユーザからの操作を受け付ける。表示デバイス９５５は、ＬＥＤランプなどを含み、無線アクセスポイント９５０の動作ステータスを表示する。
【０２６０】
ネットワークインターフェース９５７は、無線アクセスポイント９５０が有線通信ネットワーク９５８に接続するための有線通信インターフェースである。ネットワークインターフェース９５７は、複数の接続端子を有してもよい。有線通信ネットワーク９５８は、イーサネット（登録商標）などのＬＡＮであってもよく、又はＷＡＮ（Wide  Area  Network）であってもよい。
【０２６１】
無線通信インターフェース９６３は、ＩＥＥＥ８０２．１１ａ、１１ｂ、１１ｇ、１１ｎ、１１ａｃ及び１１ａｄなどの無線ＬＡＮ標準のうちの１つ以上をサポートし、近傍の端末へアクセスポイントとして無線接続を提供する。無線通信インターフェース９６３は、典型的には、ベースバンドプロセッサ、ＲＦ回路及びパワーアンプなどを含み得る。無線通信インターフェース９６３は、通信制御プログラムを記憶するメモリ、当該プログラムを実行するプロセッサ及び関連する回路を集積したワンチップのモジュールであってもよい。アンテナスイッチ９６４は、無線通信インターフェース９６３に含まれる複数の回路の間でアンテナ９６５の接続先を切り替える。アンテナ９６５は、単一の又は複数のアンテナ素子を有し、無線通信インターフェース９６３による無線信号の送信及び受信のために使用される。
【０２６２】
図２７に示した無線アクセスポイント９５０において、図２を用いて説明した制御部１５０は、無線通信インターフェース９６３において実装されてもよい。また、これら機能の少なくとも一部は、コントローラ９５１において実装されてもよい。
【０２６３】
なお、上述の実施の形態は本技術を具現化するための一例を示したものであり、実施の形態における事項と、請求の範囲における発明特定事項とはそれぞれ対応関係を有する。同様に、請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０２６４】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disc）、メモリカード、ブルーレイディスク（Blu-ray（登録商標）Disc）等を用いることができる。
【０２６５】
なお、本明細書に記載された効果はあくまで例示であって、限定されるものではなく、また、他の効果があってもよい。
【０２６６】
なお、本技術は以下のような構成もとることができる。
（１）
無線通信を行うための複数のチャネルリソースを複数の機器に割り当て当該割り当てを前記複数の機器に通知する制御を行う制御部を具備する情報処理装置。
（２）
前記機器に割り当てられた複数のチャネルリソースを用いて当該機器から送信された信号を当該複数のチャネルリソース毎に受信する通信部をさらに具備し、
前記制御部は、前記複数のチャネルリソース毎に受信した複数の信号により構成される１以上の情報を取得する
前記（１）に記載の情報処理装置。
（３）
前記制御部は、前記複数の機器に対して送信条件に関する情報を通知し、前記複数の機器に前記通知された情報に基づいて信号を送信させる制御を行う前記（１）または（２）に記載の情報処理装置。
（４）
前記複数のチャネルリソースは、周波数チャネルのリソースと空間チャネルのリソースとの組み合わせにより構成される前記（１）から（３）のいずれかに記載の情報処理装置。
（５）
前記制御部は、簡素化されたフレームフォーマットによる信号を前記割り当てたチャネルリソースを用いて送信することを通知する制御を行う前記（１）から（４）のいずれかに記載の情報処理装置。
（６）
前記制御部は、前記複数の機器を構成する各機器について２以上のチャネルリソースを割り当てる制御を行う前記（１）から（５）のいずれかに記載の情報処理装置。
（７）
前記制御部は、前記２以上のチャネルリソースを用いて１以上の情報を前記情報処理装置に通知するための信号を送信する旨を前記複数の機器に通知する制御を行う前記（６）に記載の情報処理装置。
（８）
前記制御部は、同一の情報を前記情報処理装置に通知するための信号を異なるチャネルリソースを用いて送信する旨を前記複数の機器に通知する制御を行う前記（６）または（７）に記載の情報処理装置。
（９）
前記制御部は、前記２以上のチャネルリソースとして同一の周波数チャネルのリソースまたは同一の空間チャネルのリソースを割り当てる制御を行う前記（６）から（８）のいずれかに記載の情報処理装置。
（１０）
前記制御部は、前記１以上の情報として前記機器の受信状況に関する情報を送信させる制御を行う前記（２）記載の情報処理装置。
（１１）
前記制御部は、前記複数のチャネルリソースのうちの２以上の同一のチャネルリソースを前記複数の機器のそれぞれに割り当てる制御を行う前記（１）から（１０）のいずれかに記載の情報処理装置。
（１２）
前記制御部は、前記同一のチャネルリソースを用いて送信された信号の受信電力に基づいて、前記複数の機器のうちの当該信号を送信した機器の数を判定する前記（１１）に記載の情報処理装置。
（１３）
前記制御部は、前記複数の機器へのマルチキャスト送信に対する受信結果を通知するための信号を前記同一のチャネルリソースを用いて送信させる制御を行う前記（１１）または（１２）に記載の情報処理装置。
（１４）
前記制御部は、前記複数のチャネルリソースのうち、一部を前記複数の機器を構成する２以上の機器に割り当て、他の一部を前記複数の機器に独立して割り当てる制御を行う前記（１）から（１０）のいずれかに記載の情報処理装置。
（１５）
前記制御部は、前記割り当てられた複数のチャネルリソースを用いて前記機器が信号を送信するために必要となる情報を通知する制御を行う前記（１）から（１４）のいずれかに記載の情報処理装置。
（１６）
無線通信を行うための複数のチャネルリソースを用いて複数の機器に複数の信号を送信することにより前記複数の信号により構成される１以上の情報を前記複数の機器に通知する制御を行う制御部を具備する情報処理装置。
（１７）
前記制御部は、前記１以上の情報を用いて前記情報処理装置にデータが蓄積されている機器に関する情報を通知する前記（１６）に記載の情報処理装置。
（１８）
無線通信を行うための複数のチャネルリソースが当該情報処理装置に割り当てられた旨の通知を受信した場合に、所定情報を他の機器に通知するための複数の信号を当該割り当てられた複数のチャネルリソースを用いて前記他の機器に送信する制御を行う制御部を具備する情報処理装置。
（１９）
前記制御部は、簡素化されたフレームフォーマットによる信号を前記割り当てられた複数のチャネルリソースを用いて送信する制御を行う前記（１８）に記載の情報処理装置。
（２０）
無線通信を行うための複数のチャネルリソースを複数の第２情報処理装置に割り当て当該割り当てを前記複数の第２情報処理装置に通知する第１情報処理装置と、
前記通知を受信した場合に、所定情報を前記第１情報処理装置に通知するための複数の信号を前記割り当てられた複数のチャネルリソースを用いて前記第１情報処理装置に送信する第２情報処理装置と
を具備する通信システム。
（２１）
無線通信を行うための複数のチャネルリソースを複数の機器に割り当て当該割り当てを前記複数の機器に通知する制御手順を具備する情報処理方法。
（２２）
無線通信を行うための複数のチャネルリソースを用いて複数の機器に複数の信号を送信することにより前記複数の信号により構成される１以上の情報を前記複数の機器に通知する制御手順を具備する情報処理方法。
（２３）
無線通信を行うための複数のチャネルリソースが当該情報処理装置に割り当てられた旨の通知を受信した場合に、所定情報を他の機器に通知するための複数の信号を当該割り当てられた複数のチャネルリソースを用いて前記他の機器に送信する制御手順を具備する情報処理方法。
【符号の説明】
【０２６７】
１０  通信システム
１００  情報処理装置（ＡＰ）
１１０  データ処理部
１２０  通信部
１２１  変復調部
１２２  信号処理部
１２３、１２４  無線インターフェース部
１２５、１２６  アンプ部
１２７、１２８  アンテナ
１２９  チャネル推定部
１３０  記憶部
１４０  電源部
１５０  制御部
２０１  情報処理装置（ＳＴＡ１）
２０２  情報処理装置（ＳＴＡ２）
２０３  情報処理装置（ＳＴＡ３）
２０４  情報処理装置（ＳＴＡ  Ｎ）
９００  スマートフォン
９０１  プロセッサ
９０２  メモリ
９０３  ストレージ
９０４  外部接続インターフェース
９０６  カメラ
９０７  センサ
９０８  マイクロフォン
９０９  入力デバイス
９１０  表示デバイス
９１１  スピーカ
９１３  無線通信インターフェース
９１４  アンテナスイッチ
９１５  アンテナ
９１７  バス
９１８  バッテリー
９１９  補助コントローラ
９２０  カーナビゲーション装置
９２１  プロセッサ
９２２  メモリ
９２４  ＧＰＳモジュール
９２５  センサ
９２６  データインターフェース
９２７  コンテンツプレーヤ
９２８  記憶媒体インターフェース
９２９  入力デバイス
９３０  表示デバイス
９３１  スピーカ
９３３  無線通信インターフェース
９３４  アンテナスイッチ
９３５  アンテナ
９３８  バッテリー
９４１  車載ネットワーク
９４２  車両側モジュール
９５０  無線アクセスポイント
９５１  コントローラ
９５２  メモリ
９５４  入力デバイス
９５５  表示デバイス
９５７  ネットワークインターフェース
９５８  有線通信ネットワーク
９６３  無線通信インターフェース
９６４  アンテナスイッチ
９６５  アンテナ
【図１】
2017077781.tif 000003
【図２】
2017077781.tif 000004
【図３】
2017077781.tif 000005
【図４】
2017077781.tif 000006
【図５】
2017077781.tif 000007
【図６】
2017077781.tif 000008
【図７】
2017077781.tif 000009
【図８】
2017077781.tif 000010
【図９】
2017077781.tif 000011
【図１０】
2017077781.tif 000012
【図１１】
2017077781.tif 000013
【図１２】
2017077781.tif 000014
【図１３】
2017077781.tif 000015
【図１４】
2017077781.tif 000016
【図１５】
2017077781.tif 000017
【図１６】
2017077781.tif 000018
【図１７】
2017077781.tif 000019
【図１８】
2017077781.tif 000020
【図１９】
2017077781.tif 000021
【図２０】
2017077781.tif 000022
【図２１】
2017077781.tif 000023
【図２２】
2017077781.tif 000024
【図２３】
2017077781.tif 000025
【図２４】
2017077781.tif 000026
【図２５】
2017077781.tif 000027
【図２６】
2017077781.tif 000028
【図２７】
2017077781.tif 000029
【国際調査報告】
2017077781.tif 000030
2017077781.tif 000031
2017077781.tif 000032
2017077781.tif 000033